(57)【要約】本発明のアナログ電子時計は、時刻情報を表示するための複数の表示部材をそれぞれ作動させる複数のモータを有し、アナログ電子時計の姿勢に基づいて、前記複数のモータの作動を制御するように構成されており、前記複数のモータの作動と停止を制御する複数のモードを設定するための機構を備える。アナログ電子時計が、前記複数のモードのうちの所定のモードに設定されている場合において、アナログ電子時計が、予め定めた１つの姿勢であると姿勢検出部が判定した場合、前記姿勢検出部の出力信号に基づいて、前記複数のモータを停止させる。出力判定部は現在時刻と前記複数のモータを停止させた時刻との差を計時するように構成される。アナログ電子時計が、前記の予め定めた１つの姿勢でなくなったと前記姿勢検出部が判断した場合、前記姿勢検出部の出力信号に基づいて、前記複数の表示部材が現在時刻を示す位置になるまで前記複数のモータを加速駆動させる。
2001079941.tif 000002
【特許請求の範囲】
【請求項１】
アナログ電子時計において、
時刻情報を表示するための１つ以上の表示部材（２３０、２６０、２９０）と、
アナログ電子時計の姿勢を検出するための姿勢センサ（６１０）と、
姿勢センサ（６１０）の出力信号に基づいて、アナログ電子時計の姿勢を検出するための姿勢検出部（３４０）と、
前記１つ以上の表示部材（２３０、２６０、２９０）をそれぞれ作動させるための１つ以上のモータ（２１０、２４０、２７０）とを備え、
アナログ電子時計の姿勢を検出した結果に基づいて、前記１つ以上のモータ（２１０、２４０、２７０）の回転の作動を制御するように構成されており、
前記１つ以上のモータ（２１０、２４０、２７０）の作動と停止を制御する複数のモードを設定するための機構を備えることを特徴とするアナログ電子時計。
【請求項２】
前記モードは、アナログ電子時計の姿勢を検出して、この検出結果に基づいてモータの駆動を制御することができる「自動スリープモード」と、アナログ電子時計の姿勢を検出することなしに、或いは、アナログ電子時計の姿勢検出の結果によらず、アナログ電子時計の表示部材（２３０、２６０、２９０）の動作を停止させることなしに、常に、全ての表示部材（２３０、２６０、２９０）により時刻情報を表示する「通常運針モード」とを含むことを特徴とする請求項１に記載のアナログ電子時計。
【請求項３】
前記モードは、アナログ電子時計の姿勢を検出することなしに、或いは、アナログ電子時計の姿勢検出の結果によらず、アナログ電子時計の針の動作を停止させる「強制スリープモード」と、アナログ電子時計の姿勢を検出することなしに、或いは、アナログ電子時計の姿勢検出の結果によらず、アナログ電子時計の表示部材（２３０、２６０、２９０）の動作を停止させることなしに、常に、全ての表示部材（２３０、２６０、２９０）により時刻情報を表示する「通常運針モード」とを含むことを特徴とする請求項１に記載のアナログ電子時計。
【請求項４】
前記１つ以上のモータの回転の作動を制御するための駆動制御部（３２８）と、姿勢検出部（３４０）の出力信号に基づいて、駆動制御部（３２８）を作動させるための出力判定部（３４４）とを備えることを特徴とする請求項１から請求項３のいずれか１項に記載のアナログ電子時計。
【請求項５】
前記１つ以上のモータは、時モータ（２１０）と、分モータ（２４０）と、秒モータ（２７０）とを含み、
時モータ（２１０）を駆動させることにより時表示輪列（２２０）が回転して、時針（２３０）により「時」を表示し、
分モータ（２４０）を駆動させることにより分表示輪列（２５０）が回転して、分針（２６０）により「分」を表示し、
秒モータ（２７０）を駆動させることにより秒表示輪列（２８０）が回転して、秒針（２９０）により「秒」を表示するように構成されており、
アナログ電子時計が、予め定めた１つの姿勢であると姿勢検出部（３４０）が判定した場合、時モータ（２１０）、分モータ（２４０）、秒モータ（２７０）を停止させるように構成され、
現在時刻に関する信号を入力して、現在時刻と、時針（２３０）、分針（２６０）、秒針（２９０）を停止させた時刻との差を計時するように構成された出力判定部（３４４）を備え、
アナログ電子時計が、前記の予め定めた１つの姿勢でなくなったと姿勢検出部（３４０）が判定した場合、姿勢検出部（３４０）が出力する信号に基づいて出力判定部（３４４）が作動することにより、時針（２３０）が現在時刻を指示する位置になるまで時モータ（２１０）を加速駆動し、分針（２６０）が現在時刻を指示する位置になるまで分モータ（２４０）を加速駆動し、秒針（２９０）が現在時刻を指示する位置になるまで秒モータ（２７０）を加速駆動するように構成されている、
ことを特徴とする請求項１から請求項４のいずれか１項に記載のアナログ電子時計。
【請求項６】
前記１つ以上のモータ（２１０、２４０、２７０）は、時モータ（２１０）と、分モータ（２４０）と、秒モータ（２７０）とを含み、
時モータ（２１０）を駆動させることにより時表示輪列（２２０）が回転して、時針（２３０）により「時」を表示し、
分モータ（２４０）を駆動させることにより分表示輪列（２５０）が回転して、分針（２６０）により「分」を表示し、
秒モータ（２７０）を駆動させることにより秒表示輪列（２８０）が回転して、秒針（２９０）により「秒」を表示するように構成されており、
アナログ電子時計が、予め定めた１つの姿勢であると姿勢検出部（３４０）が判定した場合、秒モータ（２７０）を停止させるように構成され、
現在時刻に関する信号を入力して、現在時刻と、秒針（２９０）を停止させた時刻との差を計時するように構成された出力判定部（３４４）を備え、
アナログ電子時計が、前記の予め定めた１つの姿勢でなくなったと姿勢検出部（３４０）が判定した場合、姿勢検出部（３４０）が出力する信号に基づいて出力判定部（３４４）が作動することにより、秒針（２９０）が現在時刻を指示する位置になるまで秒モータ（２７０）を加速駆動するように構成されている、
ことを特徴とする請求項１から請求項４のいずれか１項に記載のアナログ電子時計。
【請求項７】
前記１つ以上のモータ（２１０、２４０、２７０）は、時モータ（２１０）と、分モータ（２４０）と、秒モータ（２７０）とを含み、
時モータ（２１０）を駆動させることにより時表示輪列（２２０）が回転して、時針（２３０）により「時」を表示し、
分モータ（２４０）を駆動させることにより分表示輪列（２５０）が回転して、分針（２６０）により「分」を表示し、
秒モータ（２７０）を駆動させることにより秒表示輪列（２８０）が回転して、秒針（２９０）により「秒」を表示するように構成されており、
アナログ電子時計が、予め定めた１つの姿勢であると姿勢検出部（３４０）が判定した場合、分モータ（２４０）、秒モータ（２７０）を停止させるように構成され、
現在時刻に関する信号を入力して、現在時刻と、分針（２６０）、秒針（２９０）を停止させた時刻との差を計時するように構成された出力判定部（３４４）を備え、
アナログ電子時計が、前記の予め定めた１つの姿勢でなくなったと姿勢検出部（３４０）が判定した場合、姿勢検出部（３４０）が出力する信号に基づいて出力判定部（３４４）が作動することにより、分針（２６０）が現在時刻を指示する位置になるまで分モータ（２４０）を加速駆動し、秒針（２９０）が現在時刻を指示する位置になるまで秒モータ（２７０）を加速駆動するように構成されている、
ことを特徴とする請求項１から請求項４のいずれか１項に記載のアナログ電子時計。
【請求項８】
前記１つ以上のモータは、時分モータ（４４０）と、秒モータ（２７０）とを含み、
時分モータ（４４０）を駆動させることにより分表示輪列（４５０）が回転して、分針（２６０）により「分」を表示し、分表示輪列（２５０）が回転することにより日の裏輪列（４６０）が回転して、時針（２３０）により「時」を表示し、
秒モータ（２７０）を駆動させることにより秒表示輪列（２８０）が回転して、秒針（２９０）により「秒」を表示するように構成されており、
アナログ電子時計が、予め定めた１つの姿勢であると姿勢検出部（３４０）が判定した場合、時分モータ（４４０）、秒モータ（２７０）を停止させるように構成され、
現在時刻に関する信号を入力して、現在時刻と、時針（２３０）、分針（２６０）、秒針（２９０）を停止させた時刻との差を計時するように構成された出力判定部（４２４）を備え、
アナログ電子時計が、前記の予め定めた１つの姿勢でなくなったと姿勢検出部（３４０）が判定した場合、姿勢検出部（３４０）が出力する信号に基づいて出力判定部（４２４）が作動することにより、時針（２３０）、分針（２６０）が現在時刻を指示する位置になるまで時分モータ（４４０）を加速駆動し、秒針（２９０）が現在時刻を指示する位置になるまで秒モータ（２７０）を加速駆動するように構成されている、
ことを特徴とする請求項１から請求項４のいずれか１項に記載のアナログ電子時計。
【請求項９】
前記１つ以上のモータは、時分モータ（４４０）と、秒モータ（２７０）とを含み、
時分モータ（４４０）を駆動させることにより分表示輪列（４５０）が回転して、分針（２６０）により「分」を表示し、分表示輪列（２５０）が回転することにより日の裏輪列（４６０）が回転して、時針（２３０）により「時」を表示し、
秒モータ（２７０）を駆動させることにより秒表示輪列（２８０）が回転して、秒針（２９０）により「秒」を表示するように構成されており、
アナログ電子時計が、予め定めた１つの姿勢であると姿勢検出部（３４０）が判定した場合、秒モータ（２７０）を停止させるように構成され、
現在時刻に関する信号を入力して、現在時刻と、秒針（２９０）を停止させた時刻との差を計時するように構成された出力判定部（４２４）を備え、
アナログ電子時計が、前記の予め定めた１つの姿勢でなくなったと姿勢検出部（３４０）が判定した場合、姿勢検出部（３４０）が出力する信号に基づいて出力判定部（４２４）が作動することにより、秒針（２９０）が現在時刻を指示する位置になるまで秒モータ（２７０）を加速駆動するように構成されている、
ことを特徴とする請求項１から請求項４のいずれか１項に記載のアナログ電子時計。
【請求項１０】
前記１つ以上のモータは、時モータ（２１０）と、分モータ（２４０）とを含み、
時モータ（２１０）を駆動させることにより時表示輪列（２２０）が回転して、時針（２３０）により「時」を表示し、
分モータ（２４０）を駆動させることにより分表示輪列（２５０）が回転して、分針（２６０）により「分」を表示するように構成されており、
アナログ電子時計が、予め定めた１つの姿勢であると姿勢検出部（３４０）が判定した場合、時モータ（２１０）、分モータ（２４０）を停止させるように構成され、
現在時刻に関する信号を入力して、現在時刻と、時針（２３０）、分針（２６０）を停止させた時刻との差を計時するように構成された出力判定部（３４４）を備え、
アナログ電子時計が、前記の予め定めた１つの姿勢でなくなったと姿勢検出部（３４０）が判定した場合、姿勢検出部（３４０）が出力する信号に基づいて出力判定部（３４４）が作動することにより、時針（２３０）が現在時刻を指示する位置になるまで時モータ（２１０）を加速駆動し、分針（２６０）が現在時刻を指示する位置になるまで分モータ（２４０）を加速駆動するように構成されている、
ことを特徴とする請求項１から請求項４のいずれか１項に記載のアナログ電子時計。
【請求項１１】
前記１つ以上のモータは、時分モータ（４４０）を含み、
時分モータ（４４０）を駆動させることにより分表示輪列（４５０）が回転して、分針（２６０）により「分」を表示し、分表示輪列（２５０）が回転することにより日の裏輪列（４６０）が回転して、時針（２３０）により「時」を表示するように構成されており、
アナログ電子時計が、予め定めた１つの姿勢であると姿勢検出部（３４０）が判定した場合、時分モータ（４４０）を停止させるように構成され、
現在時刻に関する信号を入力して、現在時刻と、時針（２３０）、分針（２６０）を停止させた時刻との差を計時するように構成された出力判定部（４２４）を備え、
アナログ電子時計が、前記の予め定めた１つの姿勢でなくなったと姿勢検出部（３４０）が判定した場合、姿勢検出部（３４０）が出力する信号に基づいて出力判定部（４２４）が作動することにより、時針（２３０）、分針（２６０）が現在時刻を指示する位置になるまで時分モータ（４４０）を加速駆動するように構成されている、
ことを特徴とする請求項１から請求項４のいずれか１項に記載のアナログ電子時計。
【請求項１２】
前記の予め定めた１つの姿勢は、文字板を下に向けた姿勢であることを特徴とする請求項５から請求項１１のいずれか１項に記載のアナログ電子時計。
【請求項１３】
姿勢検出部（３４０）により、アナログ電子時計が、予め定めた１つの姿勢であると判定する段階は、一定の検出時間ごとに判定されることを特徴とする請求項５から請求項１２のいずれか１項に記載のアナログ電子時計。
【請求項１４】
姿勢検出部（３４０）により、アナログ電子時計が、予め定めた１つの姿勢でなくなったと判定する段階は、一定の検出時間ごとに判定されることを特徴とする請求項５から請求項１２のいずれか１項に記載のアナログ電子時計。
【請求項１５】
姿勢検出部（３４０）により、アナログ電子時計が、予め定めた１つの姿勢であると判定する段階は、姿勢センサ（６１０）が出力する信号が一定時間の間に連続して出力されるか、或いは、予め定めた回数出力されるかを検出することにより判定されることを特徴とする請求項５から請求項１４のいずれか１項に記載のアナログ電子時計。
【請求項１６】
姿勢検出部（３４０）により、アナログ電子時計が、予め定めた１つの姿勢でなくなったと判定する段階は、姿勢センサ（６１０）が出力する信号が一定時間の間に連続して出力されないか、或いは、、予め定めた回数出力されないかを検出することにより判定されることを特徴とする請求項５から請求項１４のいずれか１項に記載のアナログ電子時計。
【請求項１７】
前記の設定することができるモードは、アナログ電子時計の姿勢を検出することなしに、或いは、アナログ電子時計の姿勢検出の結果によらず、モータの動作を停止させる「強制スリープモード」を含み、「強制スリープモード」に設定された場合、モータの作動を停止させた後、所定の時間が経過すると、停止させたモータを一定の時間だけ作動させ、再び停止させるように駆動制御部（３２８）が構成されることを特徴とする請求項１から請求項１６のいずれか１項に記載のアナログ電子時計。
【請求項１８】
時表示輪列（２２０）の回転により回転する日車（１７０）を備えることを特徴とする請求項５から請求項７のいずれか１項に記載のアナログ電子時計。
【請求項１９】
日の裏輪列（４６０）の回転により回転する日車（１７０）を備えることを特徴とする請求項９又は請求項１０に記載のアナログ電子時計。
【請求項２０】
日付を表示するための日車（１７０）と、
日車（１７０）を駆動させるための日モータ（９１０）とを含むことを特徴とする請求項１から請求項１９のいずれか１項に記載のアナログ電子時計。
【請求項２１】
アナログ電子時計が、予め定めた１つの姿勢であると姿勢検出部（３４０）が判定した場合であっても、日モータ（９１０）を停止させないように構成されている、
ことを特徴とする請求項１９に記載のアナログ電子時計。
【請求項２２】
アナログ電子時計が、予め定めた１つの姿勢であると姿勢検出部（３４０）が判定した場合、日モータ（９１０）を停止させるように構成され、
アナログ電子時計が、前記の予め定めた１つの姿勢でなくなったと姿勢検出部（３４０）が判定した場合、姿勢検出部（３４０）が出力する信号に基づいて、日車（１７０）が現在の日付を指示する位置になるまで日モータ（９１０）を加速駆動するように構成されている、
ことを特徴とする請求項２１に記載のアナログ電子時計。
【発明の詳細な説明】
〔技術分野〕
本発明は、アナログ電子時計において、表示部材の作動のモードを設定できるように構成し、設定されたモードに対応して、姿勢センサによりアナログ電子時計の姿勢を検出し、姿勢の検出結果に基づいて、アナログ電子時計の表示部材の回転を制御するように構成した、モード設定可能な姿勢センサ付きアナログ電子時計に関する。
〔背景技術〕
（１）従来のアナログ電子時計の構造
従来、アナログ電子時計のムーブメント（機械体）は、ムーブメントの基板を構成する地板を有する。文字板がムーブメントに取付けられる。
アナログ電子時計においては、文字板を取り付けた状態を仮定したときに、文字板が水平になるような「平姿勢」と、文字板が垂直になるような「立姿勢（縦姿勢）」とが定義される。本発明では、特に、文字板を下に向けて文字板が水平になるような姿勢を「平姿勢」と称し、文字板を上に向けて文字板が水平になるような姿勢を「裏平姿勢」と称する。
一般に、地板の両側のうちで、文字板のある方の側をムーブメントの「裏側」と称し、文字板のある方の側と反対側をムーブメントの「表側」と称する。ムーブメントの「表側」に組み込まれる輪列を「表輪列」と称し、ムーブメントの「裏側」に組み込まれる輪列を「裏輪列」と称する。
アナログ電子時計のムーブメント（機械体）は、ムーブメントの基板を構成する地板を有する。
ムーブメントの「表側」には、電池、回路ブロック、時モータ、時表示輪列、分モータ、分表示輪列、秒モータ、秒表示輪列などが配置される。時モータの回転により時表示輪列が回転して、時針により現在の時刻のうちの「時」を表示する。分モータの回転により分表示輪列が回転して、分針により現在の時刻のうちの「分」を表示する。秒モータの回転により秒表示輪列が回転して、秒針により現在の時刻のうちの「秒」を表示する。
（２）従来技術を開示した代表的な文献
▲１▼  実開昭６０−１２２８８５号公報には、複数のステップモータを備えたアナログ電子時計が開示されている。
▲２▼  実開平１−８７２８８号公報には、２つ以上のロータを有するアナログ電子時計の輪列構造が開示されている。
▲３▼  特開平２−７７６７８号公報には、複数のステップモータと、アラーム手段と、複数の外部操作手段とを備えた多機能電子時計が開示されている。
▲４▼  特開平３−１０９０９４号公報には、複数のステップモータを備え、各モータは周波数の異なる信号により駆動されるアナログ電子時計が開示されている。
▲５▼  特開昭６３−１４８１９３号公報には、二次電池の電位が設定値まで低下した場合には、モータ駆動を停止して現時刻表示を中断し、同時に実時間記憶回路を作動させて、モータ駆動を停止した時刻と現時刻との差をカウントさせるように構成した充電式電子時計が開示されている。上記の二次電池の電位の設定値は、モータを駆動するのに必要とされる最低の電圧に近い値であり、実時間記憶回路を含む電子回路の消費電流とは桁違いに大きな電流を消費するモータを停止させることにより、二次電池の消費電流を抑制して、二次電池が再充電されるまでの間、充電式電子時計を作動させつづけることができるようにしている。
（３）従来技術の課題
従来のアナログ電子時計では、一旦リセットスイッチを解除して時計を作動させると、常に時モータの回転により「時」を表示し、分モータの回転により「分」を表示し、秒モータの回転により「秒」を表示するように構成されていた。したがって、モータの消費電力を減らすのがむずかしかった。
更に、従来のアナログ電子時計では、モータの消費電力を減らすためにリセットスイッチを作動させると、時モータ、分モータ、秒モータを止めることはできたが、再びリセットスイッチを解除して時計を作動させるときに、時針、分針、秒針の位置を現在時刻に合わせなければならなかった。したがって、従来のアナログ電子時計では、リセットスイッチを作動させた後のアナログ電子時計の操作が大変になっていた。
更に、従来のアナログ電子時計では、時計の電池寿命を延ばすには、電池のサイズ（直径、厚さ）を大きくしなければならなかった。したがって、電池のサイズ（直径、厚さ）を大きくすると、時計のサイズ（直径、厚さ）も大きくなってしまった。
（４）発明の目的
そこで、本発明の目的は、従来のアナログ電子時計における前記の課題を解決するために、アナログ電子時計の姿勢を検出し、その検出結果により、表示部材の回転を制御するように構成し、モータの消費電力が少ないアナログ電子時計を提供することにある。
本発明の他の目的は、小型で薄型で、電池寿命が長いアナログ電子時計を提供することにある。
本発明の他の目的は、表示部材の回転を制御する作動のモードを設定することができるように構成した、操作性がよいアナログ電子時計を提供することにある。
〔発明の開示〕
本発明は、アナログ電子時計において、時刻情報を表示するための１つ以上の表示部材と、アナログ電子時計の姿勢を検出するための姿勢センサと、姿勢センサの出力信号に基づいて、アナログ電子時計の姿勢を検出するための姿勢検出部と、１つ以上の表示部材をそれぞれ作動させるための１つ以上のモータとを備え、アナログ電子時計の姿勢を検出した結果に基づいて、前記１つ以上のモータの回転の作動を制御するように構成されており、前記１つ以上のモータの作動と停止を制御する複数のモードを設定するための機構を備えることを特徴とする。
本発明のアナログ電子時計では、前記モードは、アナログ電子時計の姿勢を検出して、この検出結果に基づいてモータの駆動を制御することができる「自動スリープモード」と、アナログ電子時計の姿勢を検出することなしに、或いは、アナログ電子時計の姿勢検出の結果によらず、アナログ電子時計の表示部材の動作を停止させることなしに、常に、全ての表示部材により時刻情報を表示する「通常運針モード」とを含むように構成することができる。
また、本発明のアナログ電子時計では、前記モードは、アナログ電子時計の姿勢を検出することなしに、或いは、アナログ電子時計の姿勢検出の結果によらず、アナログ電子時計の針の動作を停止させる「強制スリープモード」と、アナログ電子時計の姿勢を検出することなしに、或いは、アナログ電子時計の姿勢検出の結果によらず、アナログ電子時計の表示部材の動作を停止させることなしに、常に、全ての表示部材により時刻情報を表示する「通常運針モード」とを含むように構成することができる。
さらに、本発明のアナログ電子時計は、１つ以上のモータの回転の作動を制御するための駆動制御部と、姿勢検出部の出力信号に基づいて、駆動制御部を作動させるための出力判定部とを備えるのが好ましい。
本発明のアナログ電子時計では、１つ以上のモータは、時モータと、分モータと、秒モータとを含み、時モータを駆動させることにより時表示輪列が回転して、時針により「時」を表示し、分モータを駆動させることにより分表示輪列が回転して、分針により「分」を表示し、秒モータを駆動させることにより秒表示輪列が回転して、秒針により「秒」を表示するように構成され、アナログ電子時計が、予め定めた１つの姿勢であると姿勢検出部が判定した場合、全てのモータを停止させるように構成されるのが好ましい。
本発明のアナログ電子時計は、現在時刻に関する信号を入力して、現在時刻と、時針、分針、秒針を停止させた時刻との差を計時するように構成された出力判定部を備え、アナログ電子時計が、前記の予め定めた１つの姿勢でなくなったと姿勢検出部が判定した場合、姿勢検出部が出力する信号に基づいて出力判定部が作動することにより、時針が現在時刻を指示する位置になるまで時モータを加速駆動し、分針が現在時刻を指示する位置になるまで分モータを加速駆動し、秒針が現在時刻を指示する位置になるまで秒モータを加速駆動するように構成されるのが好ましい。
本発明のアナログ電子時計は、アナログ電子時計が、予め定めた１つの姿勢であると姿勢検出部が判定した場合、秒モータを停止させるように構成してもよい。この構成では、現在時刻に関する信号を入力して、現在時刻と、秒針を停止させた時刻との差を計時するように構成された出力判定部を備え、アナログ電子時計が、前記の予め定めた１つの姿勢でなくなったと姿勢検出部が判定した場合、姿勢検出部が出力する信号に基づいて出力判定部が作動することにより、秒針が現在時刻を指示する位置になるまで秒モータを加速駆動するように構成されるのが好ましい。
また、本発明のアナログ電子時計は、アナログ電子時計が、予め定めた１つの姿勢であると姿勢検出部が判定した場合、分モータ、秒モータを停止させるように構成してもよい。この構成では、現在時刻に関する信号を入力して、現在時刻と、分針、秒針を停止させた時刻との差を計時するように構成された出力判定部を備え、アナログ電子時計が、前記の予め定めた１つの姿勢でなくなったと姿勢検出部が判定した場合、姿勢検出部が出力する信号に基づいて出力判定部が作動することにより、分針が現在時刻を指示する位置になるまで分モータを加速駆動し、秒針が現在時刻を指示する位置になるまで秒モータを加速駆動するように構成されるのが好ましい。
また、本発明のアナログ電子時計では、１つ以上のモータは、時分モータと、秒モータとを含み、時分モータを駆動させることにより分表示輪列が回転して、分針により「分」を表示し、分表示輪列が回転することにより日の裏輪列が回転して、時針により「時」を表示し、秒モータを駆動させることにより秒表示輪列が回転して、秒針により「秒」を表示するように構成され、アナログ電子時計が、予め定めた１つの姿勢であると姿勢検出部が判定した場合、時分モータ、秒モータを停止させるように構成され、現在時刻に関する信号を入力して、現在時刻と、時針、分針、秒針を停止させた時刻との差を計時するように構成された出力判定部を備え、アナログ電子時計が、前記の予め定めた１つの姿勢でなくなったと姿勢検出部が判定した場合、姿勢検出部が出力する信号に基づいて出力判定部が作動することにより、時針、分針が現在時刻を指示する位置になるまで時分モータを加速駆動し、秒針が現在時刻を指示する位置になるまで秒モータを加速駆動するように構成されるのが好ましい。
また、本発明のアナログ電子時計では、アナログ電子時計が、予め定めた１つの姿勢であると姿勢検出部が判定した場合、秒モータを停止させるように構成され、現在時刻に関する信号を入力して、現在時刻と、秒針を停止させた時刻との差を計時するように構成された出力判定部を備え、アナログ電子時計が、前記の予め定めた１つの姿勢でなくなったと姿勢検出部が判定した場合、姿勢検出部が出力する信号に基づいて出力判定部が作動することにより、秒針が現在時刻を指示する位置になるまで秒モータを加速駆動するように構成されるのが好ましい。
このように構成したことにより、モータの消費電力が少なく、小型で薄型で、電池寿命が長いアナログ電子時計を実現することができる。
更に、本発明は、秒針が無い構造のアナログ電子時計にも適用することができる。
すなわち、本発明のアナログ電子時計において、１つ以上のモータは、時モータと、分モータとを含み、時モータを駆動させることにより時表示輪列が回転して、時針により「時」を表示し、分モータを駆動させることにより分表示輪列が回転して、分針により「分」を表示するように構成され、アナログ電子時計が、予め定めた１つの姿勢であると姿勢検出部が判定した場合、時モータ、分モータを停止させるように構成され、現在時刻に関する信号を入力して、現在時刻と、時針、分針を停止させた時刻との差を計時するように構成された出力判定部を備え、アナログ電子時計が、前記の予め定めた１つの姿勢でなくなったと姿勢検出部が判定した場合、姿勢検出部が出力する信号に基づいて出力判定部が作動することにより、時針が現在時刻を指示する位置になるまで時モータを加速駆動し、分針が現在時刻を指示する位置になるまで分モータを加速駆動するように構成することができる。
このように構成することにより、秒針が無い構造のアナログ電子時計において、モータの消費電力を削減し、電池寿命を長くすることができる。
また、本発明のアナログ電子時計においては、１つ以上のモータは、時分モータを含み、時分モータを駆動させることにより分表示輪列が回転して、分針により「分」を表示し、分表示輪列が回転することにより日の裏輪列が回転して、時針により「時」を表示するように構成され、アナログ電子時計が、予め定めた１つの姿勢であると姿勢検出部が判定した場合、時分モータを停止させるように構成され、現在時刻に関する信号を入力して、現在時刻と、時針、分針を停止させた時刻との差を計時するように構成された出力判定部を備え、アナログ電子時計が、前記の予め定めた１つの姿勢でなくなったと姿勢検出部が判定した場合、姿勢検出部が出力する信号に基づいて出力判定部が作動することにより、時針、分針が現在時刻を指示する位置になるまで時分モータを加速駆動するように構成することもできる。
更に、本発明のアナログ電子時計では、前記の予め定めた１つの姿勢は、文字板を下に向けた姿勢であるのが好ましい。
更に、本発明のアナログ電子時計では、姿勢検出部により、アナログ電子時計が、予め定めた１つの姿勢であると判定する段階は、一定の検出時間ごとに判定されるのが好ましい。
或いは、本発明のアナログ電子時計では、姿勢検出部により、アナログ電子時計が、予め定めた１つの姿勢でなくなったと判定する段階は、一定の検出時間ごとに判定されるように構成してもよい。
更に、本発明のアナログ電子時計では、姿勢検出部により、アナログ電子時計が、予め定めた１つの姿勢であると判定する段階は、姿勢センサが出力する信号が一定時間の間に連続して出力されるか、或いは、予め定めた回数出力されるかを検出することにより判定されるのが好ましい。
或いは、本発明のアナログ電子時計では、姿勢検出部により、アナログ電子時計が、予め定めた１つの姿勢でなくなったと判定する段階は、姿勢センサが出力する信号が一定時間の間に連続して出力されないか、或いは、予め定めた回数出力されないかを検出することにより判定されるように構成してもよい。
このように構成することにより、姿勢センサのチャタリングによる影響を排除して、確実に、アナログ電子時計の姿勢を検出することができる。
また、前記のように構成した本発明のアナログ電子時計においては、前記の設定することができるモードは、アナログ電子時計の姿勢を検出することなしに、或いは、アナログ電子時計の姿勢検出の結果によらず、モータの動作を停止させる「強制スリープモード」を含み、「強制スリープモード」に設定された場合、モータの作動を停止させた後、所定の時間が経過すると、停止させたモータを一定の時間だけ作動させ、再び停止させるように駆動制御部を構成することができる。
このように構成することにより、輪列に用いられた油の凝固を効果的に防止することができる。
さらに、本発明のアナログ電子時計においては、時表示輪列の回転により回転する日車を備えるように構成することができる。
また、本発明のアナログ電子時計においては、日の裏輪列の回転により回転する日車を備えるように構成してもよい。
また、本発明のアナログ電子時計においては、日付を表示するための日車と、日車を駆動させるための日モータとを含むように構成してもよい。
この構成では、アナログ電子時計が、予め定めた１つの姿勢であると姿勢検出部が判定した場合であっても、日モータを停止させないように構成することができる。
また、上記の構成では、アナログ電子時計が、予め定めた１つの姿勢であると姿勢検出部が判定した場合、日モータを停止させるように構成し、アナログ電子時計が、前記の予め定めた１つの姿勢でなくなったと姿勢検出部が判定した場合、姿勢検出部が出力する信号に基づいて、日車が現在の日付を指示する位置になるまで日モータを加速駆動するように構成してもよい。
このように構成することにより、日車を備えたアナログ電子時計においても、モータの消費電力を削減することができる。
〔発明を実施するための最良の形態〕
以下に、本発明のアナログ電子時計の実施の形態を図面に基づいて説明する。
（１）本発明のアナログ電子時計の第１の実施形態
最初に、本発明のアナログ電子時計の第１の実施の形態を説明する。
（１・１）アナログ電子時計のムーブメントの構成
（１・１・１）ムーブメントの表側の構造
最初に、本発明のアナログ電子時計のムーブメントの表側の構造について説明する。
図１〜図５を参照すると、本発明のアナログ電子時計の第１の実施の形態において、アナログ電子時計のムーブメント（機械体）７００は、ムーブメントの基板を構成する地板１０２を有する。巻真１１０が、地板１０２の巻真案内穴に回転可能に組み込まれる。文字板１０４（図２に仮想線で示す）がムーブメント７００に取付けられる。ムーブメント７００は、巻真１１０の軸線方向の位置を決めるための切換ばね１６６（図２３参照）を備える。
ムーブメント７００の「表側」には、電池１２０、回路ブロック１１６、時モータ２１０、時表示輪列２２０、分モータ２４０、分表示輪列２５０、秒モータ２７０、秒表示輪列２８０などが配置される。時モータ２１０の回転により時表示輪列２２０が回転して、時針２３０により現在の時刻のうちの「時」を表示するように構成される。分モータ２４０の回転により分表示輪列２５０が回転して、分針２６０により現在の時刻のうちの「分」を表示するように構成される。秒モータ２７０の回転により秒表示輪列２８０が回転して、秒針２９０により現在の時刻のうちの「秒」を表示するように構成される。
ＩＣ７４０と水晶振動子１２２とが、回路ブロック１１６に取り付けられる。回路ブロック１１６は、絶縁板１６０を介してスイッチばね１６２により、地板１０２および輪列受１１２に対して固定される。切換ばね１６６は、スイッチばね１６２に一体形成される。
電池１２０はアナログ電子時計の動力源を構成する。アナログ電子時計の動力源として、充電可能な二次電池を用いることもできるし、充電可能なコンデンサを用いることもできる。水晶振動子１２２は、アナログ電子時計の源振を構成し、例えば、３２，７６８ヘルツで発振する。
図１、図２、図５を参照すると、秒モータ２７０は、秒コイルブロック２７２と、秒ステータ２７４と、秒ロータ２７６とを含む。秒コイルブロック２７２が秒モータ駆動信号を入力すると、秒ステータ２７４が磁化して、秒ロータ２７６を回転させる。秒ロータ２７６は、例えば、１秒ごとに１８０度回転するように構成される。
秒ロータ２７６の回転に基づいて、秒伝え車２８２の回転を介して秒車２８４が回転するように構成される。秒車２８４は１分間に１回転するように構成される。秒針２９０が秒車２８４に取付けられる。秒車２８４を、アナログ電子時計の中心に配置してもよいし、アナログ電子時計の中心とは異なる位置に配置してもよい。秒針２９０は秒表示部材を構成する。秒表示部材として、秒針を用いてもよいし、円盤を用いてもよいし、花又は幾何学的形状を含む他の形状の表示部材を用いてもよい。
秒表示輪列２２０は秒伝え車２８２と秒車２８４とを含む。秒ロータ２７６、秒伝え車２８２は、地板１０２と輪列受１１２に対して、回転可能に支持される。秒車２８４は、二番受１１４に設けられた中心パイプ１２６と輪列受１１２に対して、回転可能に支持される。
日車１７０が地板１０２に対して回転可能に支持される。日車押え１７２が日車１７０を地板１０２に対して支持する。
電池マイナス端子１７０が地板１０２に取り付けられる。電池マイナス端子１７０は、回路ブロック１１６のマイナスパターンを介して電池１２０の陰極とＩＣ７４０のマイナス入力部Ｖｓｓとを導通させる。電池押え１７２がスイッチばね１６２に取り付けられる。電池押え１７２およびスイッチばね１６２は、回路ブロック１１６のプラスパターンを介して電池１２０の陽極とＩＣ７４０のプラス入力部Ｖｄｄとを導通させる。
図１、図３、図５を参照すると、分モータ２４０は、分コイルブロック２４２と、分ステータ２４４と、分ロータ２４６とを含む。分コイルブロック２４２が分モータ駆動信号を入力すると、分ステータ２４４が磁化して、分ロータ２４６を回転させる。分ロータ２４６は、例えば、２０秒ごとに１８０度回転するように構成される。
分ロータ２４６の回転に基づいて一番分伝え車２５２が回転し、一番分伝え車２５２の回転に基づいて二番分伝え車２５４を介して分車２５６が回転するように構成される。分車２５６は１時間に１回転するように構成される。分針２６０が分車２５６に取付けられる。分車２５６の回転中心は秒車２８４の回転中心と同じである。分針２６０は分表示部材を構成する。分表示部材として、分針を用いてもよいし、円盤を用いてもよいし、花又は幾何学的形状を含む他の形状の表示部材を用いてもよい。
分表示輪列２５０は一番分伝え車２５２と、二番分伝え車２５４と、分車２５６とを含む。分ロータ２４６、一番分伝え車２５２、二番分伝え車２５４は、地板１０２と輪列受１１２に対して、回転可能に支持される。分車２５６は、二番受１１４に設けられた中心パイプ１２６の外周部に接触して、回転可能に支持される。
図１、図４、図５および図２２を参照すると、時モータ２１０は、時コイルブロック２１２と、時ステータ２１４と、時ロータ２１６とを含む。時コイルブロック２１２が時モータ駆動信号を入力すると、時ステータ２１４が磁化して、時ロータ２１６を回転させる。時ロータ２１６は、例えば、２０分ごとに１８０度回転するように構成される。
時ロータ２１６の回転に基づいて、一番時伝え車２２２が回転する。一番時伝え車２２２の回転に基づいて、二番時伝え車２２４の回転を介して時車２２６が回転するように構成される。時車２２６は１２時間に１回転するように構成される。時針２３０が時車２２６に取付けられる。時車２２６の回転中心は分車２５６の回転中心と同じである。したがって、時車２２６の回転中心と、分車２５６の回転中心と、秒車２８４の回転中心とは同じである。
時針２３０は時表示部材を構成する。時表示部材として、時針を用いてもよいし、円盤を用いてもよいし、花又は幾何学的形状を含む他の形状の表示部材を用いてもよい。
時表示輪列２２０は一番時伝え車２２２と、二番時伝え車２２４と、時車２２６とを含む。時ロータ２１６、一番時伝え車２２２、二番時伝え車２２４は、地板１０２と輪列受１１２に対して、回転可能に支持される。時車２２６は、分車２５６の外周部に接触して、回転可能に支持される。
時車２２６が回転することにより、日回し車７７０が回転するように構成される。日回し車７７０は、時車２２６の回転により１日に１回転するように設けられる。日回し車７７０に設けられた日回しつめ７７２が、日車１７０を、１日に１歯づつ送るように構成される。
姿勢センサ６１０が、ケーシングに収容された状態で回路ブロック１１６に取り付けられる。ケーシングの材質は、アルミニウムなどの金属であってもよいし、プラスチックであってもよい。ケーシングを回路ブロック１１６に取付ける方法は、接着であってもよいし、はんだ付けであってもよいし、溶接であってもよい。また、ケーシングを回路ブロック１１６に取付ける方法は、図１および図４に示すように、ケーシングに設けた２つの取付け端子部を回路ブロック１１６にはんだ付けにより固着してもよいし、或いは、ケーシングを回路ブロック１１６に直接固着してもよい。
更に、図１を参照すると、本発明のアナログ電子時計のムーブメント７００は、モード設定機構７１０を備える。モード設定機構７１０は、以下で詳細に説明するように、「自動スリープモード」と、「強制スリープモード」と、「通常運針モード」とを、択一的に選択するために設けられる。
ここで、「自動スリープモード」とは、アナログ電子時計の姿勢を検出して、この検出結果に基づいてモータの駆動を制御することができるモードを示す。また、「強制スリープモード」とは、アナログ電子時計の姿勢を検出することなしに、アナログ電子時計の針の動作を停止させるモードを示す。また、「通常運針モード」とは、アナログ電子時計の姿勢を検出することなしに、かつ、アナログ電子時計の針（例えば、時針、分針、秒針）の動作を停止させることなしに、常に、全ての針により時刻を表示するモードを示す。
（１・１・２）ムーブメントの裏側の構造
次に、本発明のアナログ電子時計のムーブメント７００の裏側の構造について説明する。
図１、図２２および図２３を参照すると、つづみ車７１４が巻真１１０の回転により回転するように、巻真１１０に組み込まれる。すなわち、つづみ車７１４に形成された角穴が巻真１１０の角軸部に嵌め合う。リング形状のモード表示中間車７２０が、つづみ車７１４の回転により回転するように、地板１０２に組み込まれる。モード表示車７２２が、モード表示中間車７２０の回転により回転するように、地板１０２に組み込まれる。
モード位置決めばね７２６が、モード表示車７２２の回転方向における位置を決めるために設けられる。例えば、モード位置決めばね７２６の先端に形成された規正部が、モード表示車７２２に設けられた複数の位置決め溝部のうちの１つに接触することにより、モード表示車７２２の回転方向における位置を決めることができる。本発明のアナログ電子時計のムーブメント７００では、モード位置決めばね７２６により、モード表示車７２２は、６０度ごとに、６箇所の位置で位置決めされるように構成される。
モード表示板７２８がモード表示車７２２に固定される。モード表示板７２８の一部はモード表示面７３０は文字板１０４の窓部１０４ｂの中に位置する。モードを表示するための文字及び／又は記号がモード表示面７３０に設けられる。
図２１を参照すると、３種類のモードを表示するための文字、「ＡＵＴＯ」と、「ＳＬＥＥＰ」と、「ＮＯＲＭ」とがモード表示板７２８のモード表示面７３０に印刷されている。モードを表示するための文字、「ＡＵＴＯ」、「ＳＬＥＥＰ」、「ＮＯＲＭ」は、６０度ごとの間隔で、モード表示面７３０の６箇所の位置に、「ＡＵＴＯ」と、「ＳＬＥＥＰ」と、「ＮＯＲＭ」の順に２回繰り返されるように印刷されている。この構成では、文字板１０４の窓部１０４ｂに対応する位置に表示される文字により、使用者は設定されたモードを読み取ることができる。
本発明のアナログ電子時計のムーブメント７００では、「自動スリープモード」、すなわち、アナログ電子時計の姿勢を検出して、この検出結果に基づいてモータの駆動を制御することができるモードを「ＡＵＴＯ」で指示する。また、「強制スリープモード」、すなわち、アナログ電子時計の姿勢を検出することなしに、或いは、検出した姿勢にかかわらず、アナログ電子時計の針の動作を停止させるモードを「ＳＬＥＥＰ」で指示する。また、「通常運針モード」、すなわち、アナログ電子時計の姿勢を検出することなしに、或いは、検出した姿勢にかかわらず、アナログ電子時計の針（例えば、時針、分針、秒針）の動作を停止させることなしに、常に、全ての針により時刻を表示するモードを「ＮＯＲＭ」で指示する。
変形例として、３種類のモードを表示するための文字、「ＡＵＴＯ」と、「ＳＬＥＥＰ」と、「ＮＯＲＭ」とを文字板１０４に印刷し、モードを指示するためのモード指示マーク又はモード指示針をモード表示車７２２に設け、モードを表示するための文字とモード指示マーク又はモード指示針の対応によりモードを指示するように構成することもできる。
モード位置決めばね７２６の構造とモード表示車７２２の構造を選択することにより、２つのモードを設定可能に構成することもできるし、図示したような３つのモードを設定可能に構成することもできるし、４つ以上のモードを設定可能に構成することもできる。
モード設定ばね７３０がモード表示車７２２の回転により回転するように、モード表示車７２２に取り付けられる。モード表示車７２２が回転することにより、モード設定ばね７３０は６０度ごとに、６箇所の位置で位置決めされる。モード設定ばね７３０を位置決めする６箇所の位置に対応して、３種類のモード設定パターンが回路ブロック１１６に設けられる。
モード設定ばね７３０が６箇所の位置で位置決めされることに対応して、それぞれ、３種類のモード設定パターンを介して、３種類のモード設定信号がＩＣ７４０に入力されるように構成される。
したがって、モード設定機構７１０は、巻真１１０と、つづみ車７１４と、モード表示車７２２と、モード表示車７２４と、モード位置決めばね７２６と、モード設定パターンとを含む。
日車１７０は、地板１０２に対して回転可能なように日車押え１７２により支持される。日車１７０は、日回し車７７０に設けられた日回しつめ７７２が回転することにより、１日に１歯づつ送られるように構成される。
（１・２）ＩＣの構成
次に、本発明のアナログ電子時計の第１の実施形態のＩＣの構成について説明する。
図５を参照すると、ＩＣ７４０は分周部３１２と、計時部３１４と、時刻設定部３１６とを含む。分周部３１２は水晶振動子１２２が出力する信号を分周するように構成される。計時部３１４は分周部３１２の出力信号に基づいて、現在の時刻を計時するように構成される。時刻設定部３１６は計時部３１４の出力信号に基づいて、モータの駆動を制御する信号を出力するように構成される。
駆動制御部３２８が、時モータ駆動部３２０、分モータ駆動部３２２、秒モータ駆動部３２４の作動を制御するために設けられる。
時刻設定スイッチ３３０が時刻設定部３１６の作動を制御するために設けられる。時刻設定スイッチ３３０を作動させることにより、時刻設定部３１６を作動させ、駆動制御部３２８を作動させて、時モータ駆動部３２０、分モータ駆動部３２２、秒モータ駆動部３２４を作動させることができるように構成される。
時刻設定スイッチ３３０は、スイッチばね１６２に一体形成されたスイッチ端子部と、回路ブロック１１６のスイッチパターンにより構成される。
リセットスイッチ３３２が時刻設定部３１６の作動をリセットするために設けられる。リセットスイッチ３３２を作動させることにより、時刻設定部３１６をリセットして、駆動制御部３２８を作動させることにより、時モータ駆動部３２０、分モータ駆動部３２２、秒モータ駆動部３２４の作動を停止させることができるように構成される。
リセットスイッチ３３２は、巻真１１０を引き出すことにより作動するように構成される。
モード設定機構７１０の作動に基づいて、設定されたモードを記憶し、設定されたモードに関する信号を出力するためのモード設定制御部７４２が設けられる。
姿勢検出部３４０は、姿勢センサ６１０の出力信号に基づいて、アナログ電子時計の姿勢を検出するために設けられる。
出力判定部３４４は、姿勢検出部３４０の出力信号に基づいて、計時部３１４の出力信号を入力して、駆動制御部３２８を作動させるように構成される。
時モータ駆動部３２０は、駆動制御部３２８の出力信号に基づいて、時モータ２１０を駆動させる信号を時モータ２１０に出力し、また、駆動制御部３２８の出力信号に基づいて、時モータ２１０の駆動を停止させることができるように構成される。時モータ２１０を駆動させることにより、時表示輪列２２０が回転して、時針２３０により「時」を表示することができる。
分モータ駆動部３２２は、駆動制御部３２８の出力信号に基づいて、分モータ２４０を駆動させる信号を分モータ２４０に出力し、また、駆動制御部３２８の出力信号に基づいて、分モータ２４０の駆動を停止させることができるように構成される。分モータ２４０を駆動させることにより、分表示輪列２５０が回転して、分針２６０により「分」を表示することができる。
秒モータ駆動部３２４は、駆動制御部３２８の出力信号に基づいて、秒モータ２７０を駆動させる信号を秒モータ２７０に出力し、また、駆動制御部３２８の出力信号に基づいて、秒モータ２７０の駆動を停止させることができるように構成される。秒モータ２７０を駆動させることにより、秒表示輪列２８０が回転して、秒針２９０により「秒」を表示することができる。
モード設定機構７１０の作動させて「自動スリープモード」に設定すると、モード設定制御部７４２は「自動スリープモード」に関する信号を駆動制御部３２８と姿勢検出部３４０に出力する。したがって、「自動スリープモード」に設定されると、姿勢検出部３４０は、姿勢センサ６１０の出力信号に基づいて、アナログ電子時計の姿勢を検出する動作を行うように構成される。
モード設定機構７１０の作動させて「強制スリープモード」に設定すると、モード設定制御部７４２は「強制スリープモード」に関する信号を駆動制御部３２８と姿勢検出部３４０に出力する。したがって、「強制スリープモード」に設定されると、姿勢検出部３４０は、アナログ電子時計の姿勢を検出する動作を行なわないように構成される。また、「強制スリープモード」に設定されると、駆動制御部３２８の出力信号に基づいて、時モータ駆動部３２０は時モータ２１０の駆動を停止させ、分モータ駆動部３２２は分モータ２４０の駆動を停止させ、秒モータ駆動部３２４は秒モータ２７０の駆動を停止させることができるように構成される。
変形例として、「強制スリープモード」に設定された場合、姿勢検出部３４０がアナログ電子時計の姿勢を検出しても、この検出結果と無関係に、時モータ駆動部３２０は時モータ２１０の駆動を停止させ、分モータ駆動部３２２は分モータ２４０の駆動を停止させ、秒モータ駆動部３２４は秒モータ２７０の駆動を停止させるように構成することもできる。
また、変形例として、「強制スリープモード」に設定された場合、時モータ２１０、分モータ２４０、秒モータ２７０の作動を停止させた後、所定の時間が経過すると、時モータ２１０、分モータ２４０、秒モータ２７０を一定時間だけ作動させ、再び、時モータ２１０、分モータ２４０、秒モータ２７０を停止させるように駆動制御部３２８を構成してもよい。このように構成することにより、時表示輪列２２０、分表示輪列２５０、秒表示輪列２８０に用いられる油の凝固を効果的に防止することができる。すなわち、この構成により、いわゆる輪列の「メインテナンス駆動」を定期的に行わせることができる。
前記の時モータ２１０、分モータ２４０、秒モータ２７０の作動を停止させた後の所定の時間は、例えば、７日〜６０日の間に設定するのが好ましい。
時モータ２１０、分モータ２４０、秒モータ２７０を作動させる一定時間は、例えば、時針２３０、分針２６０、秒針２９０が、それぞれ１回転するような時間であるのが好ましい。
モード設定機構７１０の作動させて「通常運針モード」に設定すると、姿勢検出部３４０は、アナログ電子時計の姿勢を検出する動作を行わず、駆動制御部３２８の出力信号に基づいて、時モータ駆動部３２０は時モータ２１０を駆動させ、分モータ駆動部３２２は分モータ２４０を駆動させ、秒モータ駆動部３２４は秒モータ２７０を駆動させて、時針２３０により「時」を表示し、分針２６０により「分」を表示し、秒針２９０により「秒」を表示する通常運針を行うように構成される。
変形例として、「通常運針モード」に設定された場合、姿勢検出部３４０がアナログ電子時計の姿勢を検出しても、この検出結果と無関係に、時モータ駆動部３２０は時モータ２１０を駆動させ、分モータ駆動部３２２は分モータ２４０を駆動させ、秒モータ駆動部３２４は秒モータ２７０を駆動させて、時針２３０により「時」を表示し、分針２６０により「分」を表示し、秒針２９０により「秒」を表示する通常運針を行うように構成することもできる。
本発明のアナログ電子時計の実施の形態においては、各種の機能を行う回路をＩＣ内に構成してもよいし、例えば、ＩＣ内には、ＣＰＵ、ＲＯＭ、ＲＡＭなどが設けられる。ＩＣは各種の動作を行うプログラムを内蔵したＰＬＡ−ＩＣであってもよい。
また、本発明のアナログ電子時計の実施の形態においては、必要に応じて、ＩＣとともに、抵抗、コンデンサ、コイル、ダイオード、トランジスタなどの外付け素子を用いることができる。
（１・３）姿勢センサ
次に、本発明のアナログ電子時計に適用される姿勢センサについて説明する。
なお、本発明のアナログ電子時計に適用される姿勢センサは、下記に示すものに限定されることはなく、公知のいかなる姿勢センサを用いることもできる。
図６を参照すると、姿勢センサ６１０は、上面から見た形状がほぼ円形であり、側面から見た形状がほぼ「長円形」であるケース６１０ａを有する。
ここで定義される「長円形」とは、第１の寸法の半径をもつ円弧の一部分と、第１の寸法の半径と同じ半径をもつ円弧の一部分とを、互いの内側同士が近接するように向かい合わせて配置し、両方の円弧の一部分を第２の寸法の半径をもつ円弧の一部分でつないだような形状を含み、両方の円弧の一部分を直線でつないだような形状を含み、両方の円弧の一部分を複数の円弧の一部分でつないだような形状を含む。この場合、第１の寸法は、第２の寸法より小さいのがよい。
ケース６１０ａは、中央の平面６１０ｃに対して上下方向に対称に形成される。すなわち、ケース６１０ａは、ケース上半部６１０ｕと、ケース下半部６１０ｄとを含む。したがって、ケース６１０ａは、ケース上半部６１０ｕとケース下半部６１０ｄとが、中央の平面６１０ｃに対して対称に形成される。すなわち、ケース上半部６１０ｕとケース下半部６１０ｄは、同じ寸法形状で形成される。
したがって、例えば、ケース上半部６１０ｕを２つ製造し、２つのケース上半部６１０ｕを中央の平面６１０ｃに対応する部分において互いに接合することにより、ケース６１０ａを形成することができる。この接合は、接着でもよいし、溶着でもよいし、或いは、粘着テープを用いておこなってもよい。
このようにして、側面から見た形状が、ほぼ長円形であるようにケース６１０ａを形成することにより、小型で薄型の姿勢センサ６１０を実現することができる。
図６において、水平方向にＸ軸線（図６において右方向を正方向とする）とＹ軸線（図６において紙面に垂直で、紙面の表から裏に向かう方向を正方向とする）とを定義し、Ｘ軸線およびＹ軸線と垂直な方向にＺ軸線（図６において上方向を正方向とする）を定義する。
ケース６１０ａは、Ｘ軸線とＹ軸線を含む平面における形状、すなわち、中央部の横断面形状が、ほぼ円形であり、Ｘ軸線とＺ軸線を含む平面における形状、すなわち、中央部の縦断面形状は、ほぼ長円形である。
ケース６１０ａは、ポリイミドなどのプラスチック、ガラスエポキシ基板、水晶などの絶縁材料で形成される。
図６および図７を参照すると、姿勢センサ６１０の電極を構成するパターン（以下、単に「パターン」という）Ａ１がケース下半部６１０ｄの中心の内面に設けられる。パターンＡ１の外周部は、円形に形成される。
パターンＢ１が、ケース下半部６１０ｄの中心の内面でパターンＡ１の外周側に設けられる。パターンＢ１の内周部は、パターンＡ１の外周部から間隔を隔て、パターンＡ１の外周部と同心の円形に形成される。パターンＢ１の外周部は、パターンＢ１の内周部から間隔を隔て、パターンＢ１の内周部と同心の円形に形成される。すなわち、パターンＢ１はリング形状である。
パターンＣ１が、ケース下半部６１０ｄの中心の内面でパターンＢ１の外周側に設けられる。パターンＣ１の内周部は、パターンＢ１の外周部から間隔を隔て、パターンＢ１の外周部と同心の円形に形成される。パターンＣ１の外周部は、パターンＣ１の内周部から間隔を隔て、パターンＣ１の内周部と同心の円形に形成される。すなわち、パターンＣ１はリング形状である。
パターンＤ１が、ケース下半部６１０ｄの中心の内面でパターンＣ１の外周側に設けられる。パターンＤ１の内周部は、パターンＣ１の外周部から間隔を隔て、パターンＣ１の外周部と同心の円形に形成される。パターンＤ１の外周部は、パターンＤ１の内周部から間隔を隔て、パターンＤ１の内周部と同心の円形に形成される。すなわち、パターンＤ１はリング形状である。
パターンＥ１が、ケース下半部６１０ｄの中心の内面でパターンＤ１の外周側に設けられる。パターンＥ１の内周部は、パターンＤ１の外周部から間隔を隔て、パターンＤ１の外周部と同心の円形に形成される。パターンＥ１の外周部は、パターンＥ１の内周部から間隔を隔て、パターンＥ１の内周部と同心の円形に形成される。すなわち、パターンＥ１はリング形状である。
ケース下半部６１０ｄのパターンＡ１、Ｂ１、Ｃ１、Ｄ１、Ｅ１の形状と同様に、ケース上半部６１０ｕに、パターンＡ２、Ｂ２、Ｃ２、Ｄ２、Ｅ２が形成される。すなわち、パターンＡ２の外周部は、円形に形成され、パターンＢ２、Ｃ２、Ｄ２、Ｅ２はリング形状である。そして、ケース下半部６１０ｄのパターンＡ１、Ｂ１、Ｃ１、Ｄ１、Ｅ１の形状と、ケース上半部６１０ｕのパターンＡ２、Ｂ２、Ｃ２、Ｄ２、Ｅ２の形状とは、それぞれが、ほぼ同じである。
以上説明したように、それぞれのパターンＡ１、Ｂ１、Ｃ１、Ｄ１、Ｅ１、Ａ２、Ｂ２、Ｃ２、Ｄ２、Ｅ２は、互いに絶縁されている。
本発明のアナログ電子時計の実施の形態においては、Ｘ軸線およびＹ軸線が地板１０２の表面と平行であり、かつ、文字板１０４の表面と平行であるように、姿勢センサ６１０は地板１０２に対して配置される。したがって、Ｚ軸線は、地板１０２の表面と垂直であり、かつ、文字板１０４の表面と垂直であるように、姿勢センサ６１０は地板１０２に対して構成される。
図１０を参照すると、パターンから信号を伝達するためのリード線がそれぞれのパターンＡ１、Ｂ１、Ｃ１、Ｄ１、Ｅ１、Ａ２、Ｂ２、Ｃ２、Ｄ２、Ｅ２に接続される。
検出用パターンＡ１、Ｂ１、Ｃ１、Ｄ１、Ｅ１、Ａ２、Ｂ２、Ｃ２、Ｄ２、Ｅ２が、回路ブロック１１６に設けられる。姿勢センサ６１０のパターンＡ１、Ｂ１、Ｃ１、Ｄ１、Ｅ１、Ａ２、Ｂ２、Ｃ２、Ｄ２、Ｅ２は、それぞれ、リード線によって、回路ブロック１１６の検出用パターンＡ１、Ｂ１、Ｃ１、Ｄ１、Ｅ１、Ａ２、Ｂ２、Ｃ２、Ｄ２、Ｅ２に接続される。回路ブロック１１６の検出用パターンＡ１、Ｂ１、Ｃ１、Ｄ１、Ｅ１、Ａ２、Ｂ２、Ｃ２、Ｄ２、Ｅ２は、それぞれ、ＩＣ７４０の検出用パターン入力端子に接続される。ＩＣ７４０の検出用パターン入力端子に入力される検出信号は、姿勢検出部３４０に入力される。
したがって、回路ブロック１１６の検出用パターンＡ１、Ｂ１、Ｃ１、Ｄ１、Ｅ１、Ａ２、Ｂ２、Ｃ２、Ｄ２、Ｅ２の導通状態を検出することにより、姿勢センサ６１０のパターンＡ１、Ｂ１、Ｃ１、Ｄ１、Ｅ１、Ａ２、Ｂ２、Ｃ２、Ｄ２、Ｅ２の導通状態を検出することができる。
図６を参照すると、導電性流体６０８がケース６１０ａの中に収容される。導電性流体６０８は、例えば、水銀である。導電性流体６０８の体積は、図６に示す例では、ケース６１０ａの体積の１／２８であるが、ケース６１０ａの体積の１／５０〜１／１０であるのが好ましい。導電性流体６０８の体積は、２つパターン、或いは、３つのパターンに接触することができるように定められる。
図６に示すような水平状態では、導電性流体６０８はパターンＡ１とパターンＢ１とに接触している。したがって、図６に示す状態では、導電性流体６０８により、パターンＡ１とパターンＢ１は短絡される（すなわち、互いに導通する）。
すなわち、図６は、本発明のアナログ電子時計を「平姿勢」に配置したときの姿勢センサ６１０の状態を示している。パターンＡ１とパターンＢ１が互いに導通すると、姿勢検出部３４０は、「平姿勢」を検出したときの検出信号を出力する。ここで、「平姿勢」とは、「文字板下」の姿勢である。
次に、図８を参照すると、姿勢センサ６１０を水平面に対して４５度傾けて配置した状態では、導電性流体６０８は、パターンＣ１とパターンＤ１とパターンＥ１とに接触している。したがって、図８に示す状態では、導電性流体６０８により、パターンＣ１とパターンＤ１とパターンＥ１は短絡される（すなわち、互いに導通する）。
すなわち、図８は、本発明のアナログ電子時計を「斜め姿勢」に配置したときの姿勢センサ６１０の状態を示している。パターンＣ１とパターンＤ１とパターンＥ１が互いに導通すると、姿勢検出部３４０は、「斜め姿勢」を検出したときの検出信号を出力する。
次に、図９を参照すると、姿勢センサ６１０を水平面に対して９０度になるように（垂直に）配置した状態では、導電性流体６０８は、パターンＥ１とパターンＥ２とに接触している。したがって、図９に示す状態では、導電性流体６０８により、パターンＥ１とパターンＥ２は短絡される（すなわち、互いに導通する）。
すなわち、図９は、本発明のアナログ電子時計を「立姿勢」に配置したときの姿勢センサ６１０の状態を示している。パターンＥ１とパターンＥ２が互いに導通すると、姿勢検出部３４０は、「立姿勢」を検出したときの検出信号を出力する。
図１１を参照すると、本発明のアナログ電子時計に適用される姿勢センサにおいて、種々のパターンの導通した状態と、それぞれの姿勢状態の関係が示されている。
図１１において、Ａ１、Ｂ１、Ｃ１、Ｄ１、Ｅ１、Ｅ２、Ｄ２、Ｃ２、Ｂ２、Ａ２は、それぞれパターンＡ１、パターンＢ１、パターンＣ１、パターンＤ１、パターンＥ１、パターンＥ２、パターンＤ２、パターンＣ２、パターンＢ２、パターンＡ２を示す。「ＯＮ」は、そのパターンが他の「ＯＮ」と記載したパターンと導通した状態にあることを示す。「ＯＦＦ」は、そのパターンが他のいずれのパターンとも導通していない状態にあることを示す。
（１・３・１）姿勢状態１
図１１に示す姿勢状態１は、本発明のアナログ電子時計が「平姿勢」にあるときに対応する。ここで、「平姿勢」とは、「文字板下」の姿勢である。
姿勢状態１は、本発明のアナログ電子時計が、水平面に対して０度〜７度の範囲にあるときに対応する。
姿勢状態１では、回路ブロック１１６において、パターンＡ１とパターンＢ１が互いに導通するように構成される。
（１・３・２）姿勢状態２
図１１に示す姿勢状態２は、本発明のアナログ電子時計が「平姿勢」にあるときに対応する。
姿勢状態２は、本発明のアナログ電子時計が、水平面に対して８度〜１２度の範囲にあるときに対応する。
姿勢状態２では、回路ブロック１１６において、パターンＢ１とパターンＣ１が互いに導通するように構成される。
（１・３・３）姿勢状態３
図１１に示す姿勢状態３は、本発明のアナログ電子時計が「平姿勢」にあるときに対応する。
姿勢状態３は、本発明のアナログ電子時計が、水平面に対して１３度〜３０度の範囲にあるときに対応する。
姿勢状態３では、回路ブロック１１６において、パターンＢ１とパターンＣ１とパターンＤ１が互いに導通するように構成される。
（１・３・４）姿勢状態４
図１１に示す姿勢状態４は、本発明のアナログ電子時計が「斜め姿勢」にあるときに対応する。
姿勢状態４は、本発明のアナログ電子時計が、水平面に対して３１度〜６０度の範囲にあるときに対応する。
姿勢状態４では、回路ブロック１１６において、パターンＣ１とパターンＤ１とパターンＥ１が互いに導通するように構成される。
（１・３・５）姿勢状態５
図１１に示す姿勢状態５は、本発明のアナログ電子時計が「立姿勢」にあるときに対応する。
姿勢状態５は、本発明のアナログ電子時計が、水平面に対して６１度〜８９度の範囲にあるときに対応する。
姿勢状態５では、回路ブロック１１６において、パターンＤ１とパターンＥ１とパターンＥ２が互いに導通するように構成される。
（１・３・６）姿勢状態６
図１１に示す姿勢状態６は、本発明のアナログ電子時計が「立姿勢」にあるときに対応する。
姿勢状態６は、本発明のアナログ電子時計が、水平面に対して９０度にあるとき、すなわち、垂直に配置されている状態に対応する。
姿勢状態６では、回路ブロック６０６において、パターンＥ１とパターンＥ２が互いに導通するように構成される。
（１・３・７）姿勢状態７
図１１に示す姿勢状態７は、本発明のアナログ電子時計が「立姿勢」にあるときに対応する。
姿勢状態７は、本発明のアナログ電子時計が、水平面に対して９１度〜１１９度の範囲にあるときに対応する。
姿勢状態７では、回路ブロック１１６において、パターンＥ１とパターンＥ２とパターンＤ２が互いに導通するように構成される。
（１・３・８）姿勢状態８
図１１に示す姿勢状態８は、本発明のアナログ電子時計が「斜め姿勢」にあるときに対応する。
姿勢状態８は、本発明のアナログ電子時計が、水平面に対して１２０度〜１４９度の範囲にあるときに対応する。
姿勢状態８では、回路ブロック１１６において、パターンＥ２とパターンＤ２とパターンＣ２が互いに導通するように構成される。
（１・３・９）姿勢状態９
図１１に示す姿勢状態９は、本発明のアナログ電子時計が「裏平姿勢」にあるときに対応する。ここで、「裏平姿勢」とは、「文字板上」の姿勢である。
姿勢状態９は、本発明のアナログ電子時計が、水平面に対して１５０度〜１６７度の範囲にあるときに対応する。
姿勢状態９では、回路ブロック１１６において、パターンＤ２とパターンＣ２とパターンＢ２が互いに導通するように構成される。
（１・３・１０）姿勢状態１０
図１１に示す姿勢状態１０は、本発明のアナログ電子時計が「裏平姿勢」にあるときに対応する。ここで、「裏平姿勢」とは、「文字板上」の姿勢である。
姿勢状態１０は、本発明のアナログ電子時計が、水平面に対して１６８度〜１７２度の範囲にあるときに対応する。
姿勢状態１０では、回路ブロック１１６において、パターンＣ２とパターンＢ２が互いに導通するように構成される。
（１・３・１１）姿勢状態１１
図１１に示す姿勢状態１１は、本発明のアナログ電子時計が「裏平姿勢」にあるときに対応する。ここで、「裏平姿勢」とは、「文字板上」の姿勢である。
姿勢状態１１は、本発明のアナログ電子時計が、水平面に対して１７３度〜１８０度の範囲にあるときに対応する。
姿勢状態１１では、回路ブロック１１６において、パターンＢ２とパターンＡ２が互いに導通するように構成される。
（１・４）本発明のアナログ電子時計の作動
次に、本発明のアナログ電子時計の作動について説明する。
（１・４・１）タイプ１Ａ
本発明のアナログ電子時計の第１の実施形態において、本発明のアナログ電子時計を「自動ＳＬＥＥＰモード」に設定したときにおいて、姿勢センサが検出した姿勢の結果に基づいて、全てのモータを停止させる構成（タイプ１Ａ）の作動を説明する。
図５および図１２を参照すると、最初に、リセットスイッチ３３２を作動させてアナログ電子時計をリセットし、時刻設定スイッチ３３０を作動させることにより、時モータ２１０を作動させて時針２３０を現在時刻の「時」に合わせ、分モータ２４０を作動させて分針２６０を現在時刻の「分」に合わせ、秒モータ２７０を作動させて秒針２９０を現在時刻の「秒」に合わせる（段階Ｓ１２１）。
次に、リセットスイッチ３３２を解除して、時モータ２１０を作動させ、時針２３０により現在時刻の「時」を表示させ、分モータ２４０を作動させ、分針２６０により現在時刻の「分」を表示させ、秒モータ２７０を作動させ、秒針２９０により現在時刻の「秒」を表示させる（段階Ｓ１２２）。
姿勢センサ６１０が出力する文字板下姿勢（平姿勢）を示す信号が一定の検出時間のしきい値、例えば、連続して１分間出力されると、アナログ電子時計が文字板下姿勢（平姿勢）であると姿勢検出部３４０は判定し、姿勢センサ６１０が出力する文字板下姿勢（平姿勢）を示す信号が一定の検出時間のしきい値、例えば、連続して１分間出力されないと、アナログ電子時計が文字板下姿勢（平姿勢）でないと姿勢検出部３４０は判定する（段階Ｓ１２３）。
このしきい値は、０．５〜６０分の範囲に設定されるのが好ましく、１〜５分の範囲に設定されるのが一層好ましい。
このように構成することにより、姿勢センサ６１０のチャタリングによる影響を排除して、確実に、アナログ電子時計の姿勢を検出することができる。
或いは、姿勢検出部３４０により、アナログ電子時計が文字板下姿勢（平姿勢）であるとする判定は、姿勢センサ６１０が出力する信号が一定時間の間に複数回数出力されることを検出することにより判定される。例えば、姿勢検出部３４０がアナログ電子時計の姿勢を検出する１回の動作において、検出開始直後と、検出開始後１分後の２回とも、同じように、アナログ電子時計が文字板下姿勢（平姿勢）であるとする信号が出力されたならば、アナログ電子時計が文字板下姿勢（平姿勢）であると姿勢検出部３４０により判定されるように構成することもできる。
この構成では、姿勢センサ６１０が出力する信号が一定時間の間に、予め定めた回数出力されることを検出するのがよい。この予め定めた回数は、例えば、２〜１０回の範囲で設定されるのがよい。
姿勢検出部３４０がアナログ電子時計の姿勢を検出する動作の時間間隔は、例えば、前述したしきい値が１〜５分の範囲に設定された場合、１０分に１回行われるように構成される。この時間間隔は、５〜６０分の範囲に設定されるのが好ましい。
このように構成することにより、一定時間ごとに、確実に、アナログ電子時計の姿勢を検出することができる。
アナログ電子時計が文字板下姿勢（平姿勢）であると姿勢検出部３４０が判定した場合、出力判定部３４４は、駆動制御部３２８にモータの駆動を停止させる信号を出力する。駆動制御部３２８は、出力判定部３４４が出力する信号を入力すると、時モータ駆動部３２０による時モータ２１０の駆動を停止させ、分モータ駆動部３２２による分モータ２４０の駆動を停止させ、秒モータ駆動部３２４による秒モータ２７０の駆動を停止させる（段階Ｓ１２４）。
その結果、時モータ２１０の作動が停止し、時針２３０は、それが指示している位置で停止し、分モータ２４０の作動が停止し、分針２６０は、それが指示している位置で停止し、秒モータ２７０の作動が停止し、秒針２９０は、それが指示している位置で停止する。
出力判定部３４４は、計時部３１４が出力する現在時刻に関する信号を入力して、現在時刻と、時針２３０、分針２６０、秒針２９０を停止させた時刻との差を計時する。
アナログ電子時計が文字板下姿勢（平姿勢）でないと姿勢検出部３４０が判定した場合、一定の時間間隔の経過後、再び、段階Ｓ１２３の動作を行う。
時モータ２１０の作動を停止させ、分モータ２４０の作動を停止させ、秒モータ２７０の作動を停止させた後、姿勢センサ６１０が出力する文字板下姿勢（平姿勢）を示す信号が出力されないかを姿勢検出部３４０は判定する（段階Ｓ１２５）。
アナログ電子時計は文字板下姿勢（平姿勢）でなくなったと姿勢検出部３４０が判定した場合、出力判定部３４４は、駆動制御部３２８にモータを加速駆動させる信号を出力する。駆動制御部３２８は、出力判定部３４４が出力する信号を入力すると、時モータ駆動部３２０を作動させて、時針２３０が現在時刻を指示する位置になるまで時モータ２１０を加速駆動し、分モータ駆動部３２２を作動させて、分針２６０が現在時刻を指示する位置になるまで分モータ２４０を加速駆動し、秒モータ駆動部３２４を作動させて、秒針２９０が現在時刻を指示する位置になるまで秒モータ２７０を加速駆動する（段階Ｓ１２６）。
段階Ｓ１２６において、姿勢センサ６１０が出力する文字板下姿勢（平姿勢）でないことを示す信号が一定の検出時間のしきい値、例えば、連続して０．１秒間出力されると、アナログ電子時計が文字板下姿勢（平姿勢）でなくなったと姿勢検出部３４０は判定する。
このしきい値は、０．１〜０．５秒の範囲に設定されるのが好ましく、０．１〜０．２秒の範囲に設定されるのが一層好ましい。
或いは、姿勢検出部３４０により、アナログ電子時計が文字板下姿勢（平姿勢）でなくなったとする判定は、姿勢センサ６１０が出力する信号が一定時間の間に連続して出力されることを検出することにより判定される。例えば、姿勢検出部３４０がアナログ電子時計の姿勢を検出する１回の動作において、０．１秒間の間に２回連続してアナログ電子時計が文字板下姿勢（平姿勢）であるとする信号が出力されたならば、アナログ電子時計が文字板下姿勢（平姿勢）であると姿勢検出部３４０により判定されるように構成することもできる。
その結果、時針２３０は現在時刻のうちの「時」を指示し、分針２６０は現在時刻のうちの「分」を指示し、秒針２９０は現在時刻のうちの「秒」を指示する。
この加速駆動の方法は、時針２３０、分針２６０、秒針２９０を全て時計回り方向に正転させてもよいし、時針２３０、分針２６０、秒針２９０を全て反時計回り方向に逆転させてもよい。或いは、この加速駆動の方法は、時針２３０が指示したい位置と時針２３０の停止位置の関係を演算し、分針２６０が指示したい位置と分針２６０の停止位置の関係を演算し、秒針２９０が指示したい位置と秒針２９０の停止位置の関係を演算して、正転又は逆転のうちで、より速く指示したい位置に到達できるような回転方向に、時針２３０、分針２６０、秒針２９０をそれぞれ回転させてもよい。
例えば、出力判定部３４４は、時針２３０、分針２６０、秒針２９０を停止させた時刻と、現在時刻との間の時間を計測するためのカウンタを備えるように構成する。そして、時針２３０、分針２６０、秒針２９０を停止させたときにカウンタをスタートさせ、アナログ電子時計は文字板下姿勢（平姿勢）でなくなったと姿勢検出部３４０が判定した場合、カウンタをストップさせるように構成する。そして、駆動制御部３２８を作動させて、時モータ駆動部３２０を作動させて時針２３０が現在時刻を指示する位置になるまで時モータ２１０を加速駆動し、分モータ駆動部３２２を作動させて分針２６０が現在時刻を指示する位置になるまで分モータ２４０を加速駆動し、秒モータ駆動部３２４を作動させて秒針２９０が現在時刻を指示する位置になるまで秒モータ２７０を加速駆動する。
この場合、このような加速駆動している時間について、カウンタを用いて更に補正の加速駆動を行うように構成するのがよい。この構成により、時針２３０、分針２６０、秒針２９０により、現在時刻を正確に表示することができる。
或いは、出力判定部３４４は、時針２３０、分針２６０、秒針２９０の停止している位置と、現在時刻において時針２３０、分針２６０、秒針２９０が指示すべき位置との関係を演算する演算部を備えるように構成する。そして、駆動制御部３２８を作動させ、時モータ駆動部３２０を作動させて、時針２３０が現在時刻を指示する位置になるまで時モータ２１０を加速駆動し、分モータ駆動部３２２を作動させて、分針２６０が現在時刻を指示する位置になるまで分モータ２４０を加速駆動し、秒モータ駆動部３２４を作動させて、秒針２９０が現在時刻を指示する位置になるまで秒モータ２７０を加速駆動するように構成することもできる。
時針２３０、分針２６０、秒針２９０を加速駆動して、時針２３０、分針２６０、秒針２９０により現在時刻を表示するようにしたならば、段階１２２に戻り、通常の作動を行う。
更に、時モータ駆動部３２０により時針２３０が現在時刻を指示する位置になるまで時モータ２１０を加速駆動し、分モータ駆動部３２２により分針２６０が現在時刻を指示する位置になるまで分モータ２４０を加速駆動し、秒モータ駆動部３２４により秒針２９０が現在時刻を指示する位置になるまで秒モータ２７０を加速駆動する構成では、時モータ駆動部３２０が出力したパルスの数と、時モータ２１０が回転したステップ数が同じであるかどうかを検出するための時モータ回転検出部と、分モータ駆動部３２２が出力したパルスの数と、分モータ２４０が回転したステップ数が同じであるかどうかを検出するための分モータ回転検出部と、秒モータ駆動部３２４が出力したパルスの数と、秒モータ２７０が回転したステップ数が同じであるかどうかを検出するための時モータ回転検出部とを設けるのが好ましい。
段階Ｓ１２５において、アナログ電子時計は文字板下姿勢（平姿勢）であると姿勢検出部３４０が判定した場合、出力判定部３４４は、再び、アナログ電子時計の姿勢の検出を行う（段階Ｓ１２５）。
この構成では、例えば、毎日夜中に８時間だけアナログ電子時計を腕から外して文字板下姿勢（平姿勢）にすると仮定するならば、本発明のアナログ電子時計の消費電力は、従来のアナログ電子時計の消費電力の約２／３にすることができる。したがって、本発明のアナログ電子時計は、従来のアナログ電子時計と同じ寸法形状の電池を用いた場合、電池寿命を従来のアナログ電子時計の約１．５倍にすることができる。
変形例として、段階Ｓ１２４において、時針２３０を、それが指示している位置で停止させず、分針２６０を、それが指示している位置で停止させず、秒針２９０を、それが指示している位置で停止させず、時針２３０、分針２６０、秒針２９０を、予め設定した停止位置に加速駆動して停止させることもできる。
この予め設定した停止位置は、文字板の１２時目盛のある位置であってもよいし、文字板に停止マークを設けた位置であってもよい。
図２１を参照すると、りゅうず７８０を回し、巻真を回して、本発明のアナログ電子時計を「自動スリープモード」に設定する。図２１に仮想線で示すように、時針２３０、分針２６０、秒針２９０が現在の時刻、１０時１０分３６秒を示しているときに、アナログ電子時計が文字板下姿勢（平姿勢）であると姿勢検出部３４０が判定した場合には、時針２３０、分針２６０、秒針２９０を加速駆動して、図２１に実線で示すように、文字板の１２時目盛のある位置に時針２３０、分針２６０、秒針２９０を停止させるように構成することができる。
本発明のアナログ電子時計においては、本発明のアナログ電子時計を「通常運針モード」に設定することにより、時針２３０、分針２６０、秒針２９０を停止させるような上記の作動を行わないように構成することができる。
本発明のアナログ電子時計においては、時針２３０、分針２６０、秒針２９０が現在の時刻、例えば、１０時１０分３６秒を示しているときに、本発明のアナログ電子時計を「強制スリープモード」に設定することにより、時針２３０、分針２６０、秒針２９０を加速駆動して、文字板の１２時目盛のある位置に時針２３０、分針２６０、秒針２９０を停止させるように構成することができる。
この構成では、もし、本発明のアナログ電子時計を「強制スリープモード」に設定したならば、「強制スリープモード」である時間に対応してアナログ電子時計の消費電力を減らすことができる。したがって、本発明のアナログ電子時計は、従来のアナログ電子時計と同じ寸法形状の電池を用いた場合、電池寿命を従来のアナログ電子時計より長くすることができる。
（１・４・２）タイプ１Ｂ
本発明のアナログ電子時計の第１の実施形態において、本発明のアナログ電子時計を「自動ＳＬＥＥＰモード」に設定したときにおいて、姿勢センサが検出した姿勢の結果に基づいて、秒モータ２７０だけを停止させる構成（タイプ１Ｂ）の作動を説明する。
以下の説明は、本発明のアナログ電子時計の第１の実施形態において、タイプ１Ｂの構成および作動が、タイプ１Ａの構成および作動と異なる点を主に述べる。したがって、以下に記載がない個所は、前述したタイプ１Ａについての説明をここに準用する。
図５および図１３を参照すると、最初に、リセットスイッチ３３２を作動させてアナログ電子時計をリセットし、時刻設定スイッチ３３０を作動させることにより、時モータ２１０を作動させて時針２３０を現在時刻の「時」に合わせ、分モータ２４０を作動させて分針２６０を現在時刻の「分」に合わせ、秒モータ２７０を作動させて秒針２９０を現在時刻の「秒」に合わせる（段階Ｓ１３１）。
次に、リセットスイッチ３３２を解除して、時モータ２１０を作動させ、時針２３０により現在時刻の「時」を表示させ、分モータ２４０を作動させ、分針２６０により現在時刻の「分」を表示させ、秒モータ２７０を作動させ、秒針２９０により現在時刻の「秒」を表示させる（段階Ｓ１３２）。
姿勢センサ６１０が出力する文字板下姿勢（平姿勢）を示す信号が一定の検出時間のしきい値、例えば、連続して１分間出力されると、アナログ電子時計が文字板下姿勢（平姿勢）であると姿勢検出部３４０は判定し、姿勢センサ６１０が出力する文字板下姿勢（平姿勢）を示す信号が一定の検出時間のしきい値、例えば、連続して１分間出力されないと、アナログ電子時計が文字板下姿勢（平姿勢）でないと姿勢検出部３４０は判定する（段階Ｓ１３３）。
アナログ電子時計が文字板下姿勢（平姿勢）であると姿勢検出部３４０が判定した場合、出力判定部３４４は、駆動制御部３２８に秒モータ２７０の駆動を停止させる信号を出力する。駆動制御部３２８は、出力判定部３４４が出力する信号を入力すると、秒モータ駆動部３２４による秒モータ２７０の駆動を停止させる（段階Ｓ１３４）。
その結果、秒針２９０は、それが指示している位置で停止する。このとき、時針２３０、分針２６０は、現在時刻を指示し続ける。
出力判定部３４４は、計時部３１４が出力する現在時刻に関する信号を入力して、現在時刻と、秒針２９０を停止させた時刻との差を計時する。
アナログ電子時計が文字板下姿勢（平姿勢）でないと姿勢検出部３４０が判定した場合、一定の時間間隔の経過後、再び、段階Ｓ１３３の動作を行う。
秒モータ２７０の作動を停止させた後、姿勢検出部３４０は、姿勢センサ６１０が出力する文字板下姿勢（平姿勢）を示す信号が出力されないかを判定する（段階Ｓ１３５）。
アナログ電子時計は文字板下姿勢（平姿勢）でなくなったと姿勢検出部３４０が判定した場合、出力判定部３４４は、駆動制御部３２８に秒モータ２７０を加速駆動させる信号を出力する。駆動制御部３２８は、出力判定部３４４が出力する信号を入力すると、秒モータ駆動部３２４を作動させ、秒針２９０が現在時刻を指示する位置になるまで秒モータ２７０を加速駆動する（段階Ｓ１３６）。
その結果、時針２３０は現在時刻のうちの「時」を指示し、分針２６０は現在時刻のうちの「分」を指示し、秒針２９０は現在時刻のうちの「秒」を指示する。
この加速駆動の方法は、秒針２９０を時計回り方向に正転させてもよいし、秒針２９０を反時計回り方向に逆転させてもよい。或いは、この加速駆動の方法は、秒針２９０が指示したい位置と秒針２９０の停止位置の関係を演算して、正転又は逆転のうちで、より速く指示したい位置に到達できるような回転方向に、秒針２９０をそれぞれ回転させてもよい。
秒針２９０を加速駆動して、時針２３０、分針２６０、秒針２９０により現在時刻を表示するようにしたならば、段階１３２に戻り、通常の作動を行う。
段階Ｓ１３５において、アナログ電子時計は文字板下姿勢（平姿勢）であると姿勢検出部３４０が判定した場合、出力判定部３４４は、再び、アナログ電子時計の姿勢の検出を行う（段階Ｓ１３５）。
この構成では、例えば、毎日夜中に８時間だけアナログ電子時計を腕から外して文字板下姿勢（平姿勢）にすると仮定するならば、本発明のアナログ電子時計の消費電力は、従来のアナログ電子時計の消費電力の約２／３にすることができる。したがって、本発明のアナログ電子時計は、従来のアナログ電子時計と同じ寸法形状の電池を用いた場合、電池寿命を従来のアナログ電子時計の約１．５倍にすることができる。
この構成では、時針２３０は常に現在時刻のうちの「時」を指示し、分針２６０は常に現在時刻のうちの「分」を指示している。したがって、秒針２９０を停止させた状態においても、現在時刻のうちの「時」と「分」を読み取ることができる。
（１・４・３）タイプ１Ｃ
本発明のアナログ電子時計の第１の実施形態において、本発明のアナログ電子時計を「自動スリープモード」に設定したときにおいて、姿勢センサが検出した姿勢の結果に基づいて、分モータ２４０および秒モータ２７０を停止させる構成（タイプ１Ｃ）の作動を説明する。
以下の説明は、本発明のアナログ電子時計の第１の実施形態において、タイプ１Ｃの構成および作動が、タイプ１Ａの構成および作動と異なる点を主に述べる。したがって、以下に記載がない個所は、前述したタイプ１Ａについての説明をここに準用する。
図５および図１４を参照すると、最初に、リセットスイッチ３３２を作動させてアナログ電子時計をリセットし、時刻設定スイッチ３３０を作動させることにより、時モータ２１０を作動させて時針２３０を現在時刻の「時」に合わせ、分モータ２４０を作動させて分針２６０を現在時刻の「分」に合わせ、秒モータ２７０を作動させて秒針２９０を現在時刻の「秒」に合わせる（段階Ｓ１４１）。
次に、リセットスイッチ３３２を解除して、時モータ２１０を作動させ、時針２３０により現在時刻の「時」を表示させ、分モータ２４０を作動させ、分針２６０により現在時刻の「分」を表示させ、秒モータ２７０を作動させ、秒針２９０により現在時刻の「秒」を表示させる（段階Ｓ１４２）。
姿勢センサ６１０が出力する文字板下姿勢（平姿勢）を示す信号が一定の検出時間のしきい値、例えば、連続して１分間出力されると、アナログ電子時計が文字板下姿勢（平姿勢）であると姿勢検出部３４０は判定し、姿勢センサ６１０が出力する文字板下姿勢（平姿勢）を示す信号が一定の検出時間のしきい値、例えば、連続して１分間出力されないと、アナログ電子時計が文字板下姿勢（平姿勢）でないと姿勢検出部３４０は判定する（段階Ｓ１４３）。
アナログ電子時計が文字板下姿勢（平姿勢）であると姿勢検出部３４０が判定した場合、出力判定部３４４は、駆動制御部３２８に分モータ２４０と秒モータ２７０の駆動を停止させる信号を出力する。駆動制御部３２８は、出力判定部３４４が出力する信号を入力すると、分モータ駆動部３２２による分モータ２４０の駆動を停止させ、秒モータ駆動部３２４による秒モータ２７０の駆動を停止させる（段階Ｓ１４４）。
その結果、分モータ２４０の作動が停止し、分針２６０は、それが指示している位置で停止し、秒モータ２７０の作動が停止し、秒針２９０は、それが指示している位置で停止する。
出力判定部３４４は、計時部３１４が出力する現在時刻に関する信号を入力して、現在時刻と、分針２６０、秒針２９０を停止させた時刻との差を計時する。
アナログ電子時計が文字板下姿勢（平姿勢）でないと姿勢検出部３４０が判定した場合、一定の時間間隔の経過後、再び、段階Ｓ１４３の動作を行う。
分モータ２４０の作動を停止させ、秒モータ２７０の作動を停止させた後、姿勢検出部３４０は、姿勢センサ６１０が出力する文字板下姿勢（平姿勢）を示す信号が出力されないかを判定する（段階Ｓ１４５）。
アナログ電子時計は文字板下姿勢（平姿勢）でなくなったと姿勢検出部３４０が判定した場合、出力判定部３４４は、駆動制御部３２８に分モータ２４０および秒モータ２７０を加速駆動させる信号を出力する。駆動制御部３２８は、出力判定部３４４が出力する信号を入力すると、分モータ駆動部３２２に信号を出力し、分針２６０が現在時刻を指示する位置になるまで分モータ２４０を加速駆動し、秒モータ駆動部３２４に信号を出力し、秒針２９０が現在時刻を指示する位置になるまで秒モータ２７０を加速駆動する（段階Ｓ１４６）。
その結果、時針２３０は現在時刻のうちの「時」を指示し、分針２６０は現在時刻のうちの「分」を指示し、秒針２９０は現在時刻のうちの「秒」を指示する。
この加速駆動の方法は、分針２６０、秒針２９０を全て時計回り方向に正転させてもよいし、分針２６０、秒針２９０を全て反時計回り方向に逆転させてもよい。或いは、この加速駆動の方法は、分針２６０が指示したい位置と分針２６０の停止位置の関係を演算し、秒針２９０が指示したい位置と秒針２９０の停止位置の関係を演算して、正転又は逆転のうちで、より速く指示したい位置に到達できるような回転方向に、分針２６０、秒針２９０をそれぞれ回転させてもよい。
分針２６０、秒針２９０を加速駆動して、時針２３０、分針２６０、秒針２９０により現在時刻を表示するようにしたならば、段階１４２に戻り、通常の作動を行う。
段階Ｓ１４５において、アナログ電子時計は文字板下姿勢（平姿勢）であると姿勢検出部３４０が判定した場合、出力判定部３４４は、再び、アナログ電子時計の姿勢の検出を行う（段階Ｓ１４５）。
この構成では、例えば、毎日夜中に８時間だけアナログ電子時計を腕から外して文字板下姿勢（平姿勢）にすると仮定するならば、本発明のアナログ電子時計の消費電力は、従来のアナログ電子時計の消費電力の約２／３にすることができる。したがって、本発明のアナログ電子時計は、従来のアナログ電子時計と同じ寸法形状の電池を用いた場合、電池寿命を従来のアナログ電子時計の約１．５倍にすることができる。
この構成では、時針２３０は常に現在時刻のうちの「時」を指示している。したがって、分針２６０、秒針２９０を停止させた状態においても、現在時刻のうちの「時」を読み取ることができる。更に、時針２３０が指示している位置を詳細に見ることにより、現在時刻のうちの「分」のおおよその値を読み取ることができる。
（２）本発明のアナログ電子時計の第２の実施形態
次に、本発明のアナログ電子時計の第２の実施の形態を説明する。
以下の説明は、本発明のアナログ電子時計の第２の実施形態が本発明のアナログ電子時計の第１の実施形態と異なる点を主に述べる。したがって、以下に記載がない個所は、前述した本発明のアナログ電子時計の第１の実施形態についての説明をここに準用する。
（２・１）本発明のアナログ電子時計の第２の実施の形態のムーブメントの構成
図１５〜図１８を参照すると、本発明のアナログ電子時計の第２の実施の形態において、アナログ電子時計のムーブメント（機械体）８００は、ムーブメントの基板を構成する地板４０２を有する。
ムーブメント８００の「表側」には、電池１２０、回路ブロック４１６、時分モータ４４０、分表示輪列４５０、秒モータ２７０、秒表示輪列２８０などが配置される。時分モータ４４０の回転により分表示輪列４５０が回転して、分針２６０により現在の時刻のうちの「分」を表示するように構成される。分表示輪列４５０が回転することにより回転する日の裏輪列４６０の回転を介して時針２３０により現在の時刻のうちの「時」を表示するように構成される。秒モータ２７０の回転により秒表示輪列２８０が回転して、秒針２９０により現在の時刻のうちの「秒」を表示するように構成される。
ＩＣ８４０と水晶振動子１２２とが、回路ブロック４１６に取り付けられる。回路ブロック４１６は、絶縁板１６０を介してスイッチばね１６２により、地板４０２および輪列受４１２に対して固定される。
図１５、図１６、図１８を参照すると、秒モータ２７０は、秒コイルブロック２７２と、秒ステータ２７４と、秒ロータ２７６とを含む。秒ロータ２７６の回転に基づいて、秒伝え車２８２の回転を介して秒車２８４が回転するように構成される。秒車２８４は１分間に１回転するように構成される。秒針２９０が秒車２８４に取付けられる。
秒表示輪列２２０は秒伝え車２８２と秒車２８４とを含む。秒ロータ２７６、秒伝え車２８２は、地板４０２と輪列受４１２に対して、回転可能に支持される。秒車２８４は、二番受１１４に設けられた中心パイプ１２６と輪列受４１２に対して、回転可能に支持される。
電池マイナス端子１７０が地板４０２に取り付けられる。電池マイナス端子１７０は、回路ブロック４１６のマイナスバターンを介して電池１２０の陰極とＩＣ８４０のマイナス入力部Ｖｓｓとを導通させる。電池押え１７２がスイッチばね１６２に取り付けられる。電池押え１７２およびスイッチばね１６２は、回路ブロック４１６のプラスパターンを介して電池１２０の陽極とＩＣ８４０のブラス入力部Ｖｄｄとを導通させる。
図１５、図１７、図１８を参照すると、時分モータ４４０は、時分コイルブロック４４２と、時分ステータ４４４と、時分ロータ４４６とを含む。時分コイルブロック４４２が時分モータ駆動信号を入力すると、時分ステータ４４４が磁化して、時分ロータ４４６を回転させる。時分ロータ２４６は、例えば、２０秒ごとに１８０度回転するように構成される。
時分ロータ４４６の回転に基づいて一番分伝え車４５２が回転し、一番分伝え車４５２の回転に基づいて二番分伝え車４５４を介して分車４５６が回転するように構成される。分車４５６は１時間に１回転するように構成される。分針２６０が分車４５６に取付けられる。分車４５６の回転中心は秒車２８４の回転中心と同じである。
分表示輪列４５０は一番分伝え車４５２と、二番分伝え車４５４と、分車４５６とを含む。時分ロータ４４６、一番分伝え車４５２、二番分伝え車４５４は、地板４０２と輪列受４１２に対して、回転可能に支持される。分車４５６は、二番受１１４に設けられた中心パイプ１２６の外周部に接触して、回転可能に支持される。
分車４５６の回転に基づいて、日の裏車４６２が回転する。日の裏車４６２の回転に基づいて、時車２２６が回転するように構成される。時車２２６は１２時間に１回転するように構成される。時針２３０が時車２２６に取付けられる。時車２２６の回転中心は分車４５６の回転中心と同じである。したがって、時車２２６の回転中心と、分車４５６の回転中心と、秒車２８４の回転中心とは同じである。
日の裏輪列４６０は日の裏車４６２と、時車２２６とを含む。日の裏車４６２は、地板４０２と輪列受４１２に対して、回転可能に支持される。時車２２６は、分車４５６の外周部に接触して、回転可能に支持される。
姿勢センサ６１０が回路ブロック４１６に取り付けられる。姿勢センサ６１０は、本発明のアナログ電子時計の第１の実施の形態に適用されるものと同じである。
（２・２）本発明のアナログ電子時計の第２の実施の形態のＩＣの構成
次に、本発明のアナログ電子時計の第２の実施形態のＩＣの構成について説明する。
図１８を参照すると、ＩＣ８４０は、分周部３１２と、計時部３１４と、時刻設定部４２６とを含む。分周部３１２は水晶振動子１２２が出力する信号を分周するように構成される。計時部３１４は分周部３１２の出力信号に基づいて、現在の時刻を計時するように構成される。時刻設定部４２６は計時部３１４の出力信号に基づいて、モータの駆動を制御する信号を出力するように構成される。
駆動制御部４２８が、時分モータ駆動部４２０、秒モータ駆動部３２４の作動を制御するために設けられる。
時刻設定スイッチ３３０が時刻設定部４２６の作動を制御するために設けられる。時刻設定スイッチ３３０を作動させることにより、時刻設定部４２６を作動させ、駆動制御部４２８を作動させて、時分モータ駆動部４２０、秒モータ駆動部３２４を作動させることができるように構成される。
時刻設定スイッチ３３０は、スイッチばね１６２に一体形成されたスイッチ端子部と、回路ブロック４１６のスイッチパターンにより構成される。
リセットスイッチ３３２が時刻設定部４２６の作動をリセットするために設けられる。リセットスイッチ３３２を作動させることにより、時刻設定部４２６をリセットして、駆動制御部４２８を作動させることにより、時分モータ駆動部４２０、秒モータ駆動部３２４を作動を停止させることができるように構成される。
モード設定機構７１０の作動に基づいて、設定されたモードを記憶し、設定されたモードに関する信号を出力するためのモード設定制御部７４２が設けられる。
姿勢検出部３４０が、姿勢センサ６１０の出力信号に基づいて、アナログ電子時計の姿勢を検出するために設けられる。
出力判定部４２４が、姿勢検出部３４０の出力信号に基づいて、計時部３１４の出力信号を入力し、駆動制御部４２８を作動させるように構成される。
時分モータ駆動部４２０は、駆動制御部４２８の出力信号に基づいて、時分モータ４４０を駆動させる信号を時分モータ４４０に出力し、また、駆動制御部４２８の出力信号に基づいて、時分モータ４４０の駆動を停止させることができるように構成される。
時分モータ４４０を駆動させることにより分表示輪列４５０が回転して、分針２６０により「分」を表示することができる。
分表示輪列４５０が回転することにより、日の裏輪列４６０が回転して、時針２３０により「時」を表示することができる。
秒モータ駆動部３２４は、駆動制御部４２８の出力信号に基づいて、秒モータ２７０を駆動させる信号を秒モータ２７０に出力し、また、駆動制御部４２８の出力信号に基づいて、秒モータ２７０の駆動を停止させることができるように構成される。
秒モータ２７０を駆動させることにより秒表示輪列２８０が回転して、秒針２９０により「秒」を表示することができる。
モード設定機構７１０の作動させて「自動スリープモード」に設定すると、モード設定制御部７４２は「自動スリープモード」に関する信号を駆動制御部４２８と姿勢検出部３４０に出力する。したがって、「自動スリープモード」に設定されると、姿勢検出部３４０は、姿勢センサ６１０の出力信号に基づいて、アナログ電子時計の姿勢を検出する動作を行うように構成される。
モード設定機構７１０の作動させて「強制スリープモード」に設定すると、モード設定制御部７４２は「強制スリープモード」に関する信号を駆動制御部４２８と姿勢検出部３４０に出力する。したがって、「強制スリープモード」に設定されると、姿勢検出部３４０は、アナログ電子時計の姿勢を検出する動作を行なわないように構成される。また、「強制スリープモード」に設定されると、駆動制御部４２８の出力信号に基づいて、時分モータ駆動部４２０は時分モータ４４０の駆動を停止させ、秒モータ駆動部３２４は秒モータ２７０の駆動を停止させることができるように構成される。
モード設定機構７１０の作動させて「通常運針モード」に設定すると、姿勢検出部３４０は、アナログ電子時計の姿勢を検出する動作を行わず、駆動制御部４２８の出力信号に基づいて、時分モータ駆動部４２０は時分モータ４４０を駆動させ、秒モータ駆動部３２４は秒モータ２７０を駆動させて、時針２３０により「時」を表示し、分針２６０により「分」を表示し、秒針２９０により「秒」を表示する通常運針を行うように構成される。
（２・３）本発明のアナログ電子時計の第２の実施の形態の作動
次に、本発明のアナログ電子時計の第２の実施の形態の作動について説明する。
（２・３・１）タイプ２Ａ
本発明のアナログ電子時計の第２の実施形態において、本発明のアナログ電子時計を「自動ＳＬＥＥＰモード」に設定したときにおいて、姿勢センサが検出した姿勢の結果に基づいて、全てのモータを停止させる構成（タイプ２Ａ）の作動を説明する。
図１８および図１９を参照すると、最初に、リセットスイッチ３３２を作動させてアナログ電子時計をリセットし、時刻設定スイッチ３３０を作動させることにより、時分モータ４４０を作動させて時針２３０を現在時刻の「時」に合わせ、分針２６０を現在時刻の「分」に合わせ、秒モータ２７０を作動させて秒針２９０を現在時刻の「秒」に合わせる（段階Ｓ１９１）。
次に、リセットスイッチ３３２を解除して、時分モータ４４０を作動させ、時針２３０により現在時刻の「時」を表示させ、分針２６０により現在時刻の「分」を表示させ、秒モータ２７０を作動させ、秒針２９０により現在時刻の「秒」を表示させる（段階Ｓ１９２）。
姿勢センサ６１０が出力する文字板下姿勢（平姿勢）を示す信号が一定の検出時間のしきい値、例えば、連続して１分間出力されると、アナログ電子時計が文字板下姿勢（平姿勢）であると姿勢検出部３４０は判定し、姿勢センサ６１０が出力する文字板下姿勢（平姿勢）を示す信号が一定の検出時間のしきい値、例えば、連続して１分間出力されないと、アナログ電子時計が文字板下姿勢（平姿勢）でないと姿勢検出部３４０は判定する（段階Ｓ１９３）。
このしきい値は、０．５〜６０分の範囲に設定されるのが好ましく、１〜５分の範囲に設定されるのが一層好ましい。
このように構成することにより、姿勢センサ６１０のチャタリングによる影響を排除して、確実に、アナログ電子時計の姿勢を検出することができる。
姿勢検出部３４０がアナログ電子時計の姿勢を検出する動作の時間間隔は、例えば、前述したしきい値が１〜５分の範囲に設定された場合、１０分に１回行われるように構成される。この時間間隔は、５〜６０分の範囲に設定されるのが好ましい。
このように構成することにより、一定時間ごとに、確実に、アナログ電子時計の姿勢を検出することができる。
アナログ電子時計が文字板下姿勢（平姿勢）であると姿勢検出部３４０が判定した場合、出力判定部４２４は、駆動制御部４２８にモータの駆動を停止させる信号を出力する。駆動制御部４２８は、出力判定部４２４が出力する信号を入力すると、時分モータ駆動部４２０による時分モータ４４０の駆動を停止させ、秒モータ駆動部３２４による秒モータ２７０の駆動を停止させる（段階Ｓ１９４）。
その結果、時分モータ４４０の作動が停止し、時針２３０は、それが指示している位置で停止し、分針２６０は、それが指示している位置で停止し、秒モータ２７０の作動が停止し、秒針２９０は、それが指示している位置で停止する。
出力判定部４２４は、計時部３１４が出力する現在時刻に関する信号を入力して、現在時刻と、時針２３０、分針２６０、秒針２９０を停止させた時刻との差を計時する。
アナログ電子時計が文字板下姿勢（平姿勢）でないと姿勢検出部３４０が判定した場合、一定の時間間隔の経過後、再び、段階Ｓ１９３の動作を行う。
時分モータ４４０の作動を停止させ、秒モータ２７０の作動を停止させた後、姿勢センサ６１０が出力する文字板下姿勢（平姿勢）を示す信号が出力されないかを姿勢検出部３４０は判定する（段階Ｓ１９５）。
アナログ電子時計は文字板下姿勢（平姿勢）でなくなったと姿勢検出部３４０が判定した場合、出力判定部４２４は、駆動制御部４２８にモータを加速駆動させる信号を出力する。駆動制御部４２８は、出力判定部４２４が出力する信号を入力すると、時分モータ駆動部４２０を作動させて、時針２３０が現在時刻を指示する位置になり、分針２６０が現在時刻を指示する位置になるまで時分モータ４４０を加速駆動し、秒モータ駆動部３２４を作動させて、秒針２９０が現在時刻を指示する位置になるまで秒モータ２７０を加速駆動する（段階Ｓ１９６）。
その結果、時針２３０は現在時刻のうちの「時」を指示し、分針２６０は現在時刻のうちの「分」を指示し、秒針２９０は現在時刻のうちの「秒」を指示する。
この加速駆動の方法は、時針２３０、分針２６０、秒針２９０を全て時計回り方向に正転させてもよいし、時針２３０、分針２６０、秒針２９０を全て反時計回り方向に逆転させてもよい。或いは、この加速駆動の方法は、時針２３０が指示したい位置と時針２３０の停止位置の関係を演算し、分針２６０が指示したい位置と分針２６０の停止位置の関係を演算し、秒針２９０が指示したい位置と秒針２９０の停止位置の関係を演算して、正転又は逆転のうちで、より速く指示したい位置に到達できるような回転方向に、時針２３０、分針２６０、秒針２９０をそれぞれ回転させてもよい。
時針２３０、分針２６０、秒針２９０を加速駆動して、時針２３０、分針２６０、秒針２９０により現在時刻を表示するようにしたならば、段階１９２に戻り、通常の作動を行う。
段階Ｓ１９５において、姿勢検出部３４０が、アナログ電子時計は文字板下姿勢（平姿勢）である判定した場合、出力判定部４２４は、再び、アナログ電子時計の姿勢の検出を行う（段階Ｓ１９５）。
この構成では、例えば、毎日夜中に８時間だけアナログ電子時計を腕から外して文字板下姿勢（平姿勢）にすると仮定するならば、本発明のアナログ電子時計の消費電力は、従来のアナログ電子時計の消費電力の約２／３にすることができる。したがって、本発明のアナログ電子時計は、従来のアナログ電子時計と同じ寸法形状の電池を用いた場合、電池寿命を従来のアナログ電子時計の約１．５倍にすることができる。
（２・３・２）タイプ２Ｂ
本発明のアナログ電子時計の第２の実施形態において、本発明のアナログ電子時計を「自動ＳＬＥＥＰモード」に設定したときにおいて、姿勢センサが検出した姿勢の結果に基づいて、秒モータ２７０だけを停止させる構成（タイプ２Ｂ）の作動を説明する。
以下の説明は、本発明のアナログ電子時計の第２の実施形態において、タイプ２Ｂの構成および作動が、タイプ２Ａの構成および作動と異なる点を主に述べる。したがって、以下に記載がない個所は、前述したタイプ２Ａについての説明をここに準用する。
図１８および図２０を参照すると、最初に、リセットスイッチ３３２を作動させてアナログ電子時計をリセットし、時刻設定スイッチ３３０を作動させることにより、時分モータ４４０を作動させて時針２３０を現在時刻の「時」に合わせ、分針２６０を現在時刻の「分」に合わせ、秒モータ２７０を作動させて秒針２９０を現在時刻の「秒」に合わせる（段階Ｓ２０１）。
次に、リセットスイッチ３３２を解除して、時分モータ４４０を作動させ、時針２３０により現在時刻の「時」を表示させ、分針２６０により現在時刻の「分」を表示させ、秒モータ２７０を作動させ、秒針２９０により現在時刻の「秒」を表示させる（段階Ｓ２０２）。
姿勢センサ６１０が出力する文字板下姿勢（平姿勢）を示す信号が一定の検出時間のしきい値、例えば、連続して１分間出力されると、アナログ電子時計が文字板下姿勢（平姿勢）であると姿勢検出部３４０は判定し、姿勢センサ６１０が出力する文字板下姿勢（平姿勢）を示す信号が一定の検出時間のしきい値、例えば、連続して１分間出力されないと、アナログ電子時計が文字板下姿勢（平姿勢）でないと姿勢検出部３４０は判定する（段階Ｓ２０３）。
アナログ電子時計が文字板下姿勢（平姿勢）であると姿勢検出部３４０が判定した場合、出力判定部４２４は、駆動制御部４２８に秒モータ２７０の駆動を停止させる信号を出力する。駆動制御部４２８は、出力判定部４２４が出力する信号を入力すると、秒モータ駆動部３２４による秒モータ２７０の駆動を停止させる（段階Ｓ２０４）。
その結果、秒針２９０は、それが指示している位置で停止する。このとき、時針２３０、分針２６０は、現在時刻を指示し続ける。
出力判定部４２４は、計時部３１４が出力する現在時刻に関する信号を入力して、現在時刻と、秒針２９０を停止させた時刻との差を計時する。
アナログ電子時計が文字板下姿勢（平姿勢）でないと姿勢検出部３４０が判定した場合、一定の時間間隔の経過後、再び、段階Ｓ２０３の動作を行う。
秒モータ２７０の作動を停止させた後、姿勢検出部３４０は、姿勢センサ６１０が出力する文字板下姿勢（平姿勢）を示す信号が出力されないかを判定する（段階Ｓ２０５）。
アナログ電子時計は文字板下姿勢（平姿勢）でなくなったと姿勢検出部３４０が判定した場合、出力判定部４２４は、駆動制御部４２８に秒モータ２７０を加速駆動させる信号を出力する。駆動制御部４２８は、出力判定部４２４が出力する信号を入力すると、秒モータ駆動部３２４に信号を出力し、秒針２９０が現在時刻を指示する位置になるまで秒モータ２７０を加速駆動する（段階Ｓ２０６）。
その結果、時針２３０は現在時刻のうちの「時」を指示し、分針２６０は現在時刻のうちの「分」を指示し、秒針２９０は現在時刻のうちの「秒」を指示する。
この加速駆動の方法は、秒針２９０を時計回り方向に正転させてもよいし、秒針２９０を反時計回り方向に逆転させてもよい。或いは、この加速駆動の方法は、秒針２９０が指示したい位置と秒針２９０の停止位置の関係を演算して、正転又は逆転のうちで、より速く指示したい位置に到達できるような回転方向に、秒針２９０をそれぞれ回転させてもよい。
秒針２９０を加速駆動して、時針２３０、分針２６０、秒針２９０により現在時刻を表示するようにしたならば、段階２０２に戻り、通常の作動を行う。
段階Ｓ２０５において、アナログ電子時計は文字板下姿勢（平姿勢）であると姿勢検出部３４０が判定した場合、出力判定部４２４は、再び、アナログ電子時計の姿勢の検出を行う（段階Ｓ２０５）。
この構成では、例えば、毎日夜中に８時間だけアナログ電子時計を腕から外して文字板下姿勢（平姿勢）にすると仮定するならば、本発明のアナログ電子時計の消費電力は、従来のアナログ電子時計の消費電力の約２／３にすることができる。したがって、本発明のアナログ電子時計は、従来のアナログ電子時計と同じ寸法形状の電池を用いた場合、電池寿命を従来のアナログ電子時計の約１．５倍にすることができる。
この構成では、時針２３０は常に現在時刻のうちの「時」を指示し、分針２６０は常に現在時刻のうちの「分」を指示している。したがって、秒針２９０を停止させた状態においても、現在時刻のうちの「時」と「分」を読み取ることができる。
（３）本発明のアナログ電子時計の第３の実施形態
以上説明した本発明のアナログ電子時計の実施形態においては、秒針が有る場合について説明したけれども、本発明は、秒針が無い構造のアナログ電子時計にも適用することができる。
したがって、以下に説明する本発明のアナログ電子時計の第３の実施の形態の特徴は、秒針が無い構造のアナログ電子時計であるという点にある。
以下の説明は、本発明のアナログ電子時計の第３の実施形態が、本発明のアナログ電子時計の第１の実施形態と異なる点、及び、本発明のアナログ電子時計の第２の実施形態と異なる点を主に述べる。したがって、以下に記載がない個所は、前述した本発明のアナログ電子時計の第１の実施形態についての説明、及び、本発明のアナログ電子時計の第２の実施形態についての説明をここに準用する。
（３・１）タイプ３Ａ
次に、本発明のアナログ電子時計の第３の実施の形態のタイプ３Ａの構成について説明する。
本発明のアナログ電子時計の第３の実施形態のタイプ３Ａは、図１、図２、図５に示す本発明のアナログ電子時計の第１の実施形態の構造において、秒モータ２７０（秒コイルブロック２７２、秒ステータ２７４、秒ロータ２７６）を取り除き、秒表示輪列２８０（秒伝え車２８２、秒車２８４）および秒針２９０を取り除くように構成する。更に、ＩＣ７４０には、秒モータ駆動部３２４を設けないように構成する。
次に、本発明のアナログ電子時計の第３の実施の形態のタイプ３Ａについて、本発明のアナログ電子時計を「自動ＳＬＥＥＰモード」に設定したときの作動について説明する。
図２４を参照すると、最初に、リセットスイッチ３３２を作動させてアナログ電子時計をリセットし、時刻設定スイッチ３３０を作動させることにより、時モータ２１０を作動させて時針２３０を現在時刻の「時」に合わせ、分モータ２４０を作動させて分針２６０を現在時刻の「分」に合わせる（段階Ｓ２２１）。
次に、リセットスイッチ３３２を解除して、時モータ２１０を作動させ、時針２３０により現在時刻の「時」を表示させ、分モータ２４０を作動させ、分針２６０により現在時刻の「分」を表示させる（段階Ｓ２２２）。
姿勢センサ６１０が出力する文字板下姿勢（平姿勢）を示す信号が一定の検出時間のしきい値、例えば、連続して１分間出力されると、アナログ電子時計が文字板下姿勢（平姿勢）であると姿勢検出部３４０は判定し、姿勢センサ６１０が出力する文字板下姿勢（平姿勢）を示す信号が一定の検出時間のしきい値、例えば、連続して１分間出力されないと、アナログ電子時計が文字板下姿勢（平姿勢）でないと姿勢検出部３４０は判定する（段階Ｓ２２３）。
アナログ電子時計が文字板下姿勢（平姿勢）であると姿勢検出部３４０が判定した場合、出力判定部３４４は、駆動制御部３２８にモータの駆動を停止させる信号を出力する。駆動制御部３２８は、出力判定部３４４が出力する信号を入力すると、時モータ駆動部３２０による時モータ２１０の駆動を停止させ、分モータ駆動部３２２による分モータ２４０の駆動を停止させる（段階Ｓ２２４）。
その結果、時モータ２１０の作動が停止し、時針２３０は、それが指示している位置で停止し、分モータ２４０の作動が停止し、分針２６０は、それが指示している位置で停止する。
出力判定部３４４は、計時部３１４が出力する現在時刻に関する信号を入力して、現在時刻と、時針２３０、分針２６０を停止させた時刻との差を計時する。
アナログ電子時計が文字板下姿勢（平姿勢）でないと姿勢検出部３４０が判定した場合、一定の時間間隔の経過後、再び、段階Ｓ２２３の動作を行う。
時モータ２１０の作動を停止させ、分モータ２４０の作動を停止させた後、姿勢センサ６１０が出力する文字板下姿勢（平姿勢）を示す信号が出力されないかを姿勢検出部３４０は判定する（段階Ｓ２２５）。
アナログ電子時計は文字板下姿勢（平姿勢）でなくなったと姿勢検出部３４０が判定した場合、出力判定部３４４は、駆動制御部３２８にモータを加速駆動させる信号を出力する。駆動制御部３２８は、出力判定部３４４が出力する信号を入力すると、時モータ駆動部３２０を作動させて、時針２３０が現在時刻を指示する位置になるまで時モータ２１０を加速駆動し、分モータ駆動部３２２を作動させて、分針２６０が現在時刻を指示する位置になるまで分モータ２４０を加速駆動する（段階Ｓ２２６）。
その結果、時針２３０は現在時刻のうちの「時」を指示し、分針２６０は現在時刻のうちの「分」を指示する。
時針２３０、分針２６０を加速駆動して、時針２３０、分針２６０により現在時刻を表示するようにしたならば、段階２２２に戻り、通常の作動を行う。
段階Ｓ２２５において、アナログ電子時計は文字板下姿勢（平姿勢）であると姿勢検出部３４０が判定した場合、出力判定部３４４は、再び、アナログ電子時計の姿勢の検出を行う（段階Ｓ２２５）。
この構成では、例えば、毎日夜中に８時間だけアナログ電子時計を腕から外して文字板下姿勢（平姿勢）にすると仮定するならば、本発明のアナログ電子時計の消費電力は、従来のアナログ電子時計の消費電力の約２／３にすることができる。したがって、本発明のアナログ電子時計は、従来のアナログ電子時計と同じ寸法形状の電池を用いた場合、電池寿命を従来のアナログ電子時計の約１．５倍にすることができる。
更に、図２６を参照すると、本発明のアナログ電子時計において、りゅうず７８０を回し、巻真を回して、図２６に仮想線で示すように、時針２３０、分針２６０が現在の時刻、１０時１０分を示しているときに、本発明のアナログ電子時計を「強制ＳＬＥＥＰモード」に設定する。この状態では、時針２３０、分針２６０を加速駆動して、図２６に実線で示すように、文字板の１２時目盛のある位置に時針２３０、分針２６０を停止させるように構成することができる。
もし、アナログ電子時計を使用しないときに本発明のアナログ電子時計を「強制ＳＬＥＥＰモード」に設定したならば、「強制ＳＬＥＥＰモード」である時間に対応してアナログ電子時計の消費電力を減らすことができる。したがって、本発明のアナログ電子時計は、従来のアナログ電子時計と同じ寸法形状の電池を用いた場合、電池寿命を従来のアナログ電子時計より長くすることができる。
（３・２）タイプ３Ｂ
次に、本発明のアナログ電子時計の第３の実施の形態のタイプ３Ｂの構成について説明する。
本発明のアナログ電子時計の第３の実施形態のタイプ３Ｂは、図１５、図１６、図１８に示す本発明のアナログ電子時計の第２の実施形態の構造において、秒モータ２７０（秒コイルブロック２７２、秒ステータ２７４、秒ロータ２７６）を取り除き、秒表示輪列２８０（秒伝え車２８２、秒車２８４）および秒針２９０を取り除くように構成する。更に、ＩＣ８４０には、秒モータ駆動部３２４を設けないように構成する。
次に、本発明のアナログ電子時計の第３の実施の形態のタイプ３Ｂにおいて、本発明のアナログ電子時計を「自動ＳＬＥＥＰモード」に設定したときの作動について説明する。
図２５を参照すると、最初に、リセットスイッチ３３２を作動させてアナログ電子時計をリセットし、時刻設定スイッチ３３０を作動させることにより、時分モータ４４０を作動させて時針２３０を現在時刻の「時」に合わせ、分針２６０を現在時刻の「分」に合わせる（段階Ｓ２９１）。
次に、リセットスイッチ３３２を解除して、時分モータ４４０を作動させ、時針２３０により現在時刻の「時」を表示させ、分針２６０により現在時刻の「分」を表示させる（段階Ｓ２９２）。
姿勢センサ６１０が出力する文字板下姿勢（平姿勢）を示す信号が一定の検出時間のしきい値、例えば、連続して１分間出力されると、アナログ電子時計が文字板下姿勢（平姿勢）であると姿勢検出部３４０は判定し、姿勢センサ６１０が出力する文字板下姿勢（平姿勢）を示す信号が一定の検出時間のしきい値、例えば、連続して１分間出力されないと、アナログ電子時計が文字板下姿勢（平姿勢）でないと姿勢検出部３４０は判定する（段階Ｓ２９３）。
アナログ電子時計が文字板下姿勢（平姿勢）であると姿勢検出部３４０が判定した場合、出力判定部４２４は、駆動制御部４２８にモータの駆動を停止させる信号を出力する。駆動制御部４２８は、出力判定部４２４が出力する信号を入力すると、時分モータ駆動部４２０による時分モータ４４０の駆動を停止させる（段階Ｓ２９４）。
その結果、時分モータ４４０の作動が停止し、時針２３０は、それが指示している位置で停止し、分針２６０は、それが指示している位置で停止する。
出力判定部４２４は、計時部３１４が出力する現在時刻に関する信号を入力して、現在時刻と、時針２３０、分針２６０を停止させた時刻との差を計時する。
アナログ電子時計が文字板下姿勢（平姿勢）でないと姿勢検出部３４０が判定した場合、一定の時間間隔の経過後、再び、段階Ｓ２９３の動作を行う。
時分モータ４４０の作動を停止させた後、姿勢センサ６１０が出力する文字板下姿勢（平姿勢）を示す信号が出力されないかを姿勢検出部３４０は判定する（段階Ｓ２９５）。
アナログ電子時計は文字板下姿勢（平姿勢）でなくなったと姿勢検出部３４０が判定した場合、出力判定部４２４は、駆動制御部４２８にモータを加速駆動させる信号を出力する。駆動制御部４２８は、出力判定部４２４が出力する信号を入力すると、時分モータ駆動部４２０を作動させて、時針２３０が現在時刻を指示する位置になり、分針２６０が現在時刻を指示する位置になるまで時分モータ４４０を加速駆動する（段階Ｓ２９６）。
その結果、時針２３０は現在時刻のうちの「時」を指示し、分針２６０は現在時刻のうちの「分」を指示する。
時針２３０、分針２６０を加速駆動して、時針２３０、分針２６０により現在時刻を表示するようにしたならば、段階２９２に戻り、通常の作動を行う。
段階Ｓ２９５において、姿勢検出部３４０が、アナログ電子時計は文字板下姿勢（平姿勢）である判定した場合、出力判定部４２４は、再び、アナログ電子時計の姿勢の検出を行う（段階Ｓ２９５）。
この構成では、例えば、毎日夜中に８時間だけアナログ電子時計を腕から外して文字板下姿勢（平姿勢）にすると仮定するならば、本発明のアナログ電子時計の消費電力は、従来のアナログ電子時計の消費電力の約２／３にすることができる。したがって、本発明のアナログ電子時計は、秒針を備えない構造においても、従来のアナログ電子時計と同じ寸法形状の電池を用いた場合、電池寿命を従来のアナログ電子時計の約１．５倍にすることができる。
（４）本発明のアナログ電子時計の第４の実施形態
次に、本発明のアナログ電子時計の第４の実施の形態を説明する。
以下に説明する本発明のアナログ電子時計の第４の実施の形態の特徴は、日車を日モータにより駆動する構造のアナログ電子時計であるという点にある。換言すれば、本発明のアナログ電子時計の第４の実施の形態の特徴は、４つのモータを備えたアナログ電子時計であることにある。
以下の説明は、本発明のアナログ電子時計の第４の実施形態が、本発明のアナログ電子時計の第１の実施形態と異なる点を主に述べる。したがって、以下に記載がない個所は、前述した本発明のアナログ電子時計の第１の実施形態についての説明をここに準用する。
（４・１）アナログ電子時計のムーブメントの構成
（４・１・１）ムーブメントの表側の構造
最初に、本発明のアナログ電子時計の第４の実施形態のムーブメントの表側の構造について説明する。
図２７〜図２９を参照すると、本発明のアナログ電子時計の第４の実施の形態において、アナログ電子時計のムーブメント（機械体）９００は、ムーブメントの基板を構成する地板９０２を有する。
ムーブメント７００の「表側」には、電池１２０、回路ブロック９０６、時モータ２１０、時表示輪列２２０、分モータ２４０、分表示輪列２５０、秒モータ２７０、秒表示輪列２８０、日モータ９１０などが配置される。日モータ９１０の回転により日表示輪列９３０が回転して、日車１７０により現在の日付を表示するように構成される。
ＩＣ９４０と水晶振動子１２２とが、回路ブロック９０６に取り付けられる。
日モータ９１０は、日コイルブロック９１２と、日ステータ９１４と、日ロータ９１６とを含む。日コイルブロック９１２が日モータ駆動信号を入力すると、日ステータ９１４が磁化して、日ロータ９１６を回転させる。日ロータ９１６は、午後１２時（午前０時）になる直前に作動して、日車１７０を回転させるように構成される。
日表示輪列９３０は第１日伝え車９３２と、第２日伝え車９３４と、日回し車９３６とを含む。第１日伝え車９３２は、地板９０２と輪列受９０４に対して、回転可能に支持される。第２日伝え車９３４は、地板９０２と輪列受９０４に対して、回転可能に支持される。
（４・１・２）ムーブメントの裏側の構造
次に、本発明のアナログ電子時計の第４の実施形態のムーブメント９００の裏側の構造について説明する。
図２８および図２９を参照すると、日回し車９３６は、輪列受９０４と日車押え１７２に対して、回転可能に支持される。日車１７０が地板９０２に対して回転可能に支持される。日車押え１７２が日車１７０を地板９０２に対して支持する。日回し車９３６に設けられた日回しつめ９３６ｂが、通常は、日車１７０を、１日に１歯づつ送るように構成される。
（４・２）ＩＣの構成
次に、本発明のアナログ電子時計の第４の実施形態のＩＣの構成について説明する。
図３０を参照すると、ＩＣ９４０は分周部３１２と、計時部３１４と、時刻設定部９５０とを含む。分周部３１２は水晶振動子１２２が出力する信号を分周するように構成される。計時部３１４は分周部３１２の出力信号に基づいて、現在の時刻を計時するように構成される。時刻設定部９５０は計時部３１４の出力信号に基づいて、モータの駆動を制御する信号を出力するように構成される。
駆動制御部９５２が、時モータ駆動部３２０、分モータ駆動部３２２、秒モータ駆動部３２４、日モータ駆動部９２２の作動を制御するために設けられる。
時刻設定スイッチ３３０が時刻設定部９５０の作動を制御するために設けられる。時刻設定スイッチ３３０を作動させることにより、時刻設定部９５０を作動させ、駆動制御部９５２を作動させて、時モータ駆動部３２０、分モータ駆動部３２２、秒モータ駆動部３２４、日モータ駆動部９２２を作動させることができるように構成される。
リセットスイッチ３３２が時刻設定部９５０の作動をリセットするために設けられる。リセットスイッチ３３２を作動させることにより、時刻設定部９５０をリセットして、駆動制御部９５２を作動させることにより、時モータ駆動部３２０、分モータ駆動部３２２、秒モータ駆動部３２４、日モータ駆動部９２２の作動を停止させることができるように構成される。
日モータ駆動部９２２は、駆動制御部９５２の出力信号に基づいて、日モータ９１０を駆動させる信号を日モータ９１０に出力し、また、駆動制御部９５２の出力信号に基づいて、日モータ９１０の駆動を停止させることができるように構成される。日モータ９１０を駆動させることにより、日表示輪列９３０が回転して、日車１７０により「日付」を表示することができる。
日モータ駆動部９２２は、現在の年月日を演算して記憶している。閏年以外の年には、日車１７０により、２月２８日に「２８」が表示された後に３月１日午前０時になると「１」が表示され、４月３０日に「３０」が表示された後に５月１日午前０時になると「１」が表示され、６月３０日に「３０」が表示された後に７月１日午前０時になると「１」が表示され、９月３０日に「３０」が表示された後に１０月１日午前０時になると「１」が表示され、１１月３０日に「３０」が表示された後に１２月１日午前０時になると「１」が表示されるように構成される。
また、閏年には、日車１７０により、２月２８日に「２８」が表示された後に２月２９日午前０時になると「２９」が表示され、２月２９日に「２９」が表示された後に３月１日午前０時になると「１」が表示され、４月３０日に「３０」が表示された後に５月１日午前０時になると「１」が表示され、６月３０日に「３０」が表示された後に７月１日午前０時になると「１」が表示され、９月３０日に「３０」が表示された後に１０月１日午前０時になると「１」が表示され、１１月３０日に「３０」が表示された後に１２月１日午前０時になると「１」が表示されるように構成される。
したがって、この本発明のアナログ電子時計の実施形態は、いわゆる「オートカレンダ時計」を構成し、日車１７０により常に正確に「日付」を表示することができる。
「強制スリープモード」に設定されると、駆動制御部９５２の出力信号に基づいて、時モータ駆動部３２０は時モータ２１０の駆動を停止させ、分モータ駆動部３２２は分モータ２４０の駆動を停止させ、秒モータ駆動部３２４は秒モータ２７０の駆動を停止させ、日モータ駆動部９２２は日モータ９１０の駆動を停止させることができるように構成される。
モード設定機構７１０の作動させて「通常運針モード」に設定すると、姿勢検出部３４０は、アナログ電子時計の姿勢を検出する動作を行わず、駆動制御部３２８の出力信号に基づいて、時モータ駆動部３２０は時モータ２１０を駆動させ、分モータ駆動部３２２は分モータ２４０を駆動させ、秒モータ駆動部３２４は秒モータ２７０を駆動させ、日モータ駆動部９２２は日モータ９１０を駆動させて、時針２３０により「時」を表示し、分針２６０により「分」を表示し、秒針２９０により「秒」を表示し、日車１７０により「日付」を表示する通常運針を行うように構成される。
（４・４）本発明のアナログ電子時計の作動
次に、本発明のアナログ電子時計の第４の実施形態の作動について説明する。
（４・４・１）タイプ４Ａ
本発明のアナログ電子時計の第４の実施形態において、本発明のアナログ電子時計を「自動ＳＬＥＥＰモード」に設定したときにおいて、姿勢センサが検出した姿勢の結果に基づいて、全てのモータを停止させる構成（タイプ４Ａ）の作動を説明する。
図３０および図３１を参照すると、最初に、リセットスイッチ３３２を作動させてアナログ電子時計をリセットし、時刻設定スイッチ３３０を作動させることにより、時モータ２１０を作動させて時針２３０を現在時刻の「時」に合わせ、分モータ２４０を作動させて分針２６０を現在時刻の「分」に合わせ、秒モータ２７０を作動させて秒針２９０を現在時刻の「秒」に合わせ、日モータ９１０を駆動させて日車１７０を現在の「日付」に合わせる（段階Ｓ９２１）。
次に、リセットスイッチ３３２を解除して、時モータ２１０を作動させ、時針２３０により現在時刻の「時」を表示させ、分モータ２４０を作動させ、分針２６０により現在時刻の「分」を表示させ、秒モータ２７０を作動させ、秒針２９０により現在時刻の「秒」を表示させ、日モータ９１０を作動させ、日車１７０により現在の「日付」を表示させる（段階Ｓ９２２）。
姿勢センサ６１０が出力する文字板下姿勢（平姿勢）を示す信号が一定の検出時間のしきい値、例えば、連続して１分間出力されると、アナログ電子時計が文字板下姿勢（平姿勢）であると姿勢検出部３４０は判定し、姿勢センサ６１０が出力する文字板下姿勢（平姿勢）を示す信号が一定の検出時間のしきい値、例えば、連続して１分間出力されないと、アナログ電子時計が文字板下姿勢（平姿勢）でないと姿勢検出部３４０は判定する（段階Ｓ９２３）。
アナログ電子時計が文字板下姿勢（平姿勢）であると姿勢検出部３４０が判定した場合、出力判定部９５４は、駆動制御部３２８にモータの駆動を停止させる信号を出力する。駆動制御部９５２は、出力判定部９５４が出力する信号を入力すると、時モータ駆動部３２０による時モータ２１０の駆動を停止させ、分モータ駆動部３２２による分モータ２４０の駆動を停止させ、秒モータ駆動部３２４による秒モータ２７０の駆動を停止させ、日モータ駆動部９２２による日モータ９１０の駆動を停止させる（段階Ｓ９２４）。
その結果、時モータ２１０の作動が停止し、時針２３０は、それが指示している位置で停止し、分モータ２４０の作動が停止し、分針２６０は、それが指示している位置で停止し、秒モータ２７０の作動が停止し、秒針２９０は、それが指示している位置で停止し、日モータ９１０の作動が停止し、日車１７０は、それが指示している位置で停止する。
出力判定部９５４は、計時部３１４が出力する現在時刻に関する信号を入力して、現在時刻と、時針２３０、分針２６０、秒針２９０、日車１７０を停止させた時刻との差を計時する。
アナログ電子時計が文字板下姿勢（平姿勢）でないと姿勢検出部３４０が判定した場合、一定の時間間隔の経過後、再び、段階Ｓ９２３の動作を行う。
時モータ２１０の作動を停止させ、分モータ２４０の作動を停止させ、秒モータ２７０の作動を停止させ、日モータ９１０の作動を停止させた後、姿勢センサ６１０が出力する文字板下姿勢（平姿勢）を示す信号が出力されないかを姿勢検出部３４０は判定する（段階Ｓ９２５）。
アナログ電子時計は文字板下姿勢（平姿勢）でなくなったと姿勢検出部３４０が判定した場合、出力判定部９５４は、駆動制御部９５２にモータを加速駆動させる信号を出力する。駆動制御部９５２は、出力判定部９５４が出力する信号を入力すると、時モータ駆動部３２０を作動させて、時針２３０が現在時刻を指示する位置になるまで時モータ２１０を加速駆動し、分モータ駆動部３２２を作動させて、分針２６０が現在時刻を指示する位置になるまで分モータ２４０を加速駆動し、秒モータ駆動部３２４を作動させて、秒針２９０が現在時刻を指示する位置になるまで秒モータ２７０を加速駆動し、日モータ駆動部９２２を作動させて、日車１７０が現在の日付を指示する位置になるまで日モータ９１０を加速駆動する（段階Ｓ９２６）。
その結果、時針２３０は現在時刻のうちの「時」を指示し、分針２６０は現在時刻のうちの「分」を指示し、秒針２９０は現在時刻のうちの「秒」を指示し、日車１７０は現在の「日付」を指示する。
この加速駆動の方法は、時針２３０、分針２６０、秒針２９０、日車１７０を全て時計回り方向に正転させてもよいし、時針２３０、分針２６０、秒針２９０、日車１７０を全て反時計回り方向に逆転させてもよい。或いは、この加速駆動の方法は、時針２３０が指示したい位置と時針２３０の停止位置の関係を演算し、分針２６０が指示したい位置と分針２６０の停止位置の関係を演算し、秒針２９０が指示したい位置と秒針２９０の停止位置の関係を演算し、日車１７０が指示したい位置と日車１７０の停止位置の関係を演算して、正転又は逆転のうちで、より速く指示したい位置に到達できるような回転方向に、時針２３０、分針２６０、秒針２９０、日車１７０をそれぞれ回転させてもよい。
例えば、出力判定部９５４は、時針２３０、分針２６０、秒針２９０、日車１７０を停止させた時刻と、現在時刻との間の時間を計測するためのカウンタを備えるように構成する。そして、時針２３０、分針２６０、秒針２９０、日車１７０を停止させたときにカウンタをスタートさせ、アナログ電子時計は文字板下姿勢（平姿勢）でなくなったと姿勢検出部３４０が判定した場合、カウンタをストップさせるように構成する。そして、駆動制御部９５２を作動させて、時モータ駆動部３２０を作動させて時針２３０が現在時刻を指示する位置になるまで時モータ２１０を加速駆動し、分モータ駆動部３２２を作動させて分針２６０が現在時刻を指示する位置になるまで分モータ２４０を加速駆動し、秒モータ駆動部３２４を作動させて秒針２９０が現在時刻を指示する位置になるまで秒モータ２７０を加速駆動し、日モータ駆動部９２２を作動させて日車１７０が現在の日付を指示する位置になるまで日モータ９１０を加速駆動する。
この場合、このような加速駆動している時間について、カウンタを用いて更に補正の加速駆動を行うように構成するのがよい。この構成により、時針２３０、分針２６０、秒針２９０により、現在時刻を正確に表示し、日車１７０により現在の日付を正確に表示することができる。
或いは、出力判定部９５４は、時針２３０、分針２６０、秒針２９０、日車１７０の停止している位置と、現在時刻において時針２３０、分針２６０、秒針２９０、日車１７０が指示すべき位置との関係を演算する演算部を備えるように構成する。そして、駆動制御部９５２を作動させ、時モータ駆動部３２０を作動させて、時針２３０が現在時刻を指示する位置になるまで時モータ２１０を加速駆動し、分モータ駆動部３２２を作動させて、分針２６０が現在時刻を指示する位置になるまで分モータ２４０を加速駆動し、秒モータ駆動部３２４を作動させて、秒針２９０が現在時刻を指示する位置になるまで秒モータ２７０を加速駆動し、日モータ駆動部９２２を作動させて、日車１７０が現在の日付を指示する位置になるまで日モータ９１０を加速駆動するように構成することもできる。
時針２３０、分針２６０、秒針２９０、日車１７０を加速駆動して、時針２３０、分針２６０、秒針２９０により現在時刻を表示し、日車１７０により現在の日付を表示するようにしたならば、段階９２２に戻り、通常の作動を行う。
更に、時モータ駆動部３２０により時針２３０が現在時刻を指示する位置になるまで時モータ２１０を加速駆動し、分モータ駆動部３２２により分針２６０が現在時刻を指示する位置になるまで分モータ２４０を加速駆動し、秒モータ駆動部３２４により秒針２９０が現在時刻を指示する位置になるまで秒モータ２７０を加速駆動し、日モータ駆動部９２２により日車１７０が現在の日付を指示する位置になるまで日モータ９１０を加速駆動する構成では、時モータ駆動部３２０が出力したパルスの数と、時モータ２１０が回転したステップ数が同じであるかどうかを検出するための時モータ回転検出部と、分モータ駆動部３２２が出力したパルスの数と、分モータ２４０が回転したステップ数が同じであるかどうかを検出するための分モータ回転検出部と、秒モータ駆動部３２４が出力したパルスの数と、秒モータ２７０が回転したステップ数が同じであるかどうかを検出するための時モータ回転検出部と、日モータ駆動部９２２が出力したパルスの数と、日モータ９１０が回転したステップ数が同じであるかどうかを検出するための日モータ回転検出部とを設けるのが好ましい。
段階Ｓ９２５において、アナログ電子時計は文字板下姿勢（平姿勢）であると姿勢検出部３４０が判定した場合、出力判定部９５４は、再び、アナログ電子時計の姿勢の検出を行う（段階Ｓ９２５）。
この構成では、例えば、毎日夜中に８時間だけアナログ電子時計を腕から外して文字板下姿勢（平姿勢）にすると仮定するならば、本発明のアナログ電子時計の消費電力は、従来のアナログ電子時計の消費電力の約２／３にすることができる。したがって、本発明のアナログ電子時計は、従来のアナログ電子時計と同じ寸法形状の電池を用いた場合、電池寿命を従来のアナログ電子時計の約１．５倍にすることができる。
変形例として、段階Ｓ９２４において、時針２３０を、それが指示している位置で停止させず、分針２６０を、それが指示している位置で停止させず、秒針２９０を、それが指示している位置で停止させず、日車１７０を、それが指示している位置で停止させず、時針２３０、分針２６０、秒針２９０、日車１７０を、予め設定した停止位置に加速駆動して停止させることもできる（図２１参照）。
この予め設定した停止位置は、文字板の１２時目盛のある位置であってもよいし、文字板に停止マークを設けた位置であってもよい。
或いは、更なる変形例として、段階Ｓ９２４において、時針２３０を、それが指示している位置で停止させず、分針２６０を、それが指示している位置で停止させず、秒針２９０を、それが指示している位置で停止させず、時針２３０、分針２６０、秒針２９０を、予め設定した停止位置に加速駆動して停止させることもできる。この構成では、日車１７０は、それが指示している位置で停止している。
本発明のアナログ電子時計においては、本発明のアナログ電子時計を「通常運針モード」に設定することにより、時針２３０、分針２６０、秒針２９０、日車１７０を停止させるような上記の作動を行わないように構成することができる。
（４・４・２）タイプ４Ｂ
本発明のアナログ電子時計の第４の実施形態において、本発明のアナログ電子時計を「自動ＳＬＥＥＰモード」に設定したときにおいて、姿勢センサが検出した姿勢の結果に基づいて、秒モータ２７０だけを停止させる構成（タイプ４Ｂ）の作動を説明する。
以下の説明は、本発明のアナログ電子時計の第４の実施形態において、タイプ４Ｂの構成および作動が、タイプ４Ａの構成および作動と異なる点を主に述べる。したがって、以下に記載がない個所は、前述したタイプ４Ａについての説明をここに準用する。
図３０および図３２を参照すると、最初に、リセットスイッチ３３２を作動させてアナログ電子時計をリセットし、時刻設定スイッチ３３０を作動させることにより、時モータ２１０を作動させて時針２３０を現在時刻の「時」に合わせ、分モータ２４０を作動させて分針２６０を現在時刻の「分」に合わせ、秒モータ２７０を作動させて秒針２９０を現在時刻の「秒」に合わせ、日モータ９１０を駆動させて日車１７０を現在の「日付」に合わせる（段階Ｓ９３１）。
次に、リセットスイッチ３３２を解除して、時モータ２１０を作動させ、時針２３０により現在時刻の「時」を表示させ、分モータ２４０を作動させ、分針２６０により現在時刻の「分」を表示させ、秒モータ２７０を作動させ、秒針２９０により現在時刻の「秒」を表示させ、日モータ９１０を作動させ、日車１７０により現在の「日付」を表示させる（段階Ｓ９３２）。
姿勢センサ６１０が出力する文字板下姿勢（平姿勢）を示す信号が一定の検出時間のしきい値、例えば、連続して１分間出力されると、アナログ電子時計が文字板下姿勢（平姿勢）であると姿勢検出部３４０は判定し、姿勢センサ６１０が出力する文字板下姿勢（平姿勢）を示す信号が一定の検出時間のしきい値、例えば、連続して１分間出力されないと、アナログ電子時計が文字板下姿勢（平姿勢）でないと姿勢検出部３４０は判定する（段階Ｓ９３３）。
アナログ電子時計が文字板下姿勢（平姿勢）であると姿勢検出部３４０が判定した場合、出力判定部９５４は、駆動制御部９５２に秒モータ２７０の駆動を停止させる信号を出力する。駆動制御部９５２は、出力判定部９５４が出力する信号を入力すると、秒モータ駆動部３２４による秒モータ２７０の駆動を停止させる（段階Ｓ９３４）。
その結果、秒針２９０は、それが指示している位置で停止する。このとき、時針２３０、分針２６０は、現在時刻を指示し続け、日車１７０は現在の「日付」を表示し続ける。
出力判定部３４４は、計時部３１４が出力する現在時刻に関する信号を入力して、現在時刻と、秒針２９０を停止させた時刻との差を計時する。
アナログ電子時計が文字板下姿勢（平姿勢）でないと姿勢検出部３４０が判定した場合、一定の時間間隔の経過後、再び、段階Ｓ９３３の動作を行う。
秒モータ２７０の作動を停止させた後、姿勢検出部３４０は、姿勢センサ６１０が出力する文字板下姿勢（平姿勢）を示す信号が出力されないかを判定する（段階Ｓ９３５）。
アナログ電子時計は文字板下姿勢（平姿勢）でなくなったと姿勢検出部３４０が判定した場合、出力判定部９５４は、駆動制御部９５２に秒モータ２７０を加速駆動させる信号を出力する。駆動制御部９５２は、出力判定部９５４が出力する信号を入力すると、秒モータ駆動部３２４を作動させ、秒針２９０が現在時刻を指示する位置になるまで秒モータ２７０を加速駆動する（段階Ｓ９３６）。
その結果、時針２３０は現在時刻のうちの「時」を指示し、分針２６０は現在時刻のうちの「分」を指示し、秒針２９０は現在時刻のうちの「秒」を指示し、日車１７０は現在の「日付」を表示する。
この加速駆動の方法は、秒針２９０を時計回り方向に正転させてもよいし、秒針２９０を反時計回り方向に逆転させてもよい。或いは、この加速駆動の方法は、秒針２９０が指示したい位置と秒針２９０の停止位置の関係を演算して、正転又は逆転のうちで、より速く指示したい位置に到達できるような回転方向に、秒針２９０をそれぞれ回転させてもよい。
秒針２９０を加速駆動して、時針２３０、分針２６０、秒針２９０により現在時刻を表示し、日車１７０により現在の「日付」を表示するようにしたならば、段階９３２に戻り、通常の作動を行う。
段階Ｓ９３５において、アナログ電子時計は文字板下姿勢（平姿勢）であると姿勢検出部３４０が判定した場合、出力判定部９５４は、再び、アナログ電子時計の姿勢の検出を行う（段階Ｓ９３５）。
この構成では、例えば、毎日夜中に８時間だけアナログ電子時計を腕から外して文字板下姿勢（平姿勢）にすると仮定するならば、本発明のアナログ電子時計の消費電力は、従来のアナログ電子時計の消費電力の約２／３にすることができる。したがって、本発明のアナログ電子時計は、従来のアナログ電子時計と同じ寸法形状の電池を用いた場合、電池寿命を従来のアナログ電子時計の約１．５倍にすることができる。
この構成では、時針２３０は常に現在時刻のうちの「時」を指示し、分針２６０は常に現在時刻のうちの「分」を指示し、日車１７０は常に現在の「日付」を指示している。したがって、秒針２９０を停止させた状態においても、現在時刻のうちの「時」と「分」と、現在の「日付」とを読み取ることができる。
（４・４・３）タイプ４Ｃ
本発明のアナログ電子時計の第４の実施形態において、本発明のアナログ電子時計を「自動スリープモード」に設定したときにおいて、姿勢センサが検出した姿勢の結果に基づいて、時モータ２１０と分モータ２４０と秒モータ２７０を停止させ、日モータ９１０を停止させないような構成（タイプ４Ｃ）の作動を説明する。
以下の説明は、本発明のアナログ電子時計の第４の実施形態において、タイプ４Ｃの構成および作動が、タイプ４Ａの構成および作動と異なる点を主に述べる。したがって、以下に記載がない個所は、前述したタイプ４Ａについての説明をここに準用する。
図３０および図３３を参照すると、最初に、リセットスイッチ３３２を作動させてアナログ電子時計をリセットし、時刻設定スイッチ３３０を作動させることにより、時モータ２１０を作動させて時針２３０を現在時刻の「時」に合わせ、分モータ２４０を作動させて分針２６０を現在時刻の「分」に合わせ、秒モータ２７０を作動させて秒針２９０を現在時刻の「秒」に合わせ、日モータ９１０を駆動させて日車１７０を現在の「日付」に合わせる（段階Ｓ９４１）。
次に、リセットスイッチ３３２を解除して、時モータ２１０を作動させ、時針２３０により現在時刻の「時」を表示させ、分モータ２４０を作動させ、分針２６０により現在時刻の「分」を表示させ、秒モータ２７０を作動させ、秒針２９０により現在時刻の「秒」を表示させ、日モータ９１０を作動させ、日車１７０により現在の「日付」を表示させる（段階Ｓ９４２）。
姿勢センサ６１０が出力する文字板下姿勢（平姿勢）を示す信号が一定の検出時間のしきい値、例えば、連続して１分間出力されると、アナログ電子時計が文字板下姿勢（平姿勢）であると姿勢検出部３４０は判定し、姿勢センサ６１０が出力する文字板下姿勢（平姿勢）を示す信号が一定の検出時間のしきい値、例えば、連続して１分間出力されないと、アナログ電子時計が文字板下姿勢（平姿勢）でないと姿勢検出部３４０は判定する（段階Ｓ９４３）。
アナログ電子時計が文字板下姿勢（平姿勢）であると姿勢検出部３４０が判定した場合、出力判定部９５４は、駆動制御部９５２にモータの駆動を停止させる信号を出力する。駆動制御部９５２は、出力判定部９５４が出力する信号を入力すると、時モータ駆動部３２０による時モータ２１０の駆動を停止させ、分モータ駆動部３２２による分モータ２４０の駆動を停止させ、秒モータ駆動部３２４による秒モータ２７０の駆動を停止させる（段階Ｓ９４４）。
その結果、時モータ２１０の作動が停止し、時針２３０は、それが指示している位置で停止し、分モータ２４０の作動が停止し、分針２６０は、それが指示している位置で停止し、秒モータ２７０の作動が停止し、秒針２９０は、それが指示している位置で停止する。
出力判定部９５４は、計時部３１４が出力する現在時刻に関する信号を入力して、現在時刻と、時針２３０、分針２６０、秒針２９０を停止させた時刻との差を計時する。
アナログ電子時計が文字板下姿勢（平姿勢）でないと姿勢検出部３４０が判定した場合、一定の時間間隔の経過後、再び、段階Ｓ９４３の動作を行う。
時モータ２１０の作動を停止させ、分モータ２４０の作動を停止させ、秒モータ２７０の作動を停止させた後、姿勢センサ６１０が出力する文字板下姿勢（平姿勢）を示す信号が出力されないかを姿勢検出部３４０は判定する（段階Ｓ９４５）。
アナログ電子時計は文字板下姿勢（平姿勢）でなくなったと姿勢検出部３４０が判定した場合、出力判定部９５４は、駆動制御部９５２にモータを加速駆動させる信号を出力する。駆動制御部９５２は、出力判定部９５４が出力する信号を入力すると、時モータ駆動部３２０を作動させて、時針２３０が現在時刻を指示する位置になるまで時モータ２１０を加速駆動し、分モータ駆動部３２２を作動させて、分針２６０が現在時刻を指示する位置になるまで分モータ２４０を加速駆動し、秒モータ駆動部３２４を作動させて、秒針２９０が現在時刻を指示する位置になるまで秒モータ２７０を加速駆動する（段階Ｓ９４６）。
その結果、時針２３０は現在時刻のうちの「時」を指示し、分針２６０は現在時刻のうちの「分」を指示し、秒針２９０は現在時刻のうちの「秒」を指示し、日車１７０は現在の「日付」を指示する。
時針２３０、分針２６０、秒針２９０を加速駆動して、時針２３０、分針２６０、秒針２９０により現在時刻を表示し、日車１７０により現在の日付を表示するようにしたならば、段階Ｓ９４２に戻り、通常の作動を行う。
段階Ｓ９４５において、アナログ電子時計は文字板下姿勢（平姿勢）であると姿勢検出部３４０が判定した場合、出力判定部９５４は、再び、アナログ電子時計の姿勢の検出を行う（段階Ｓ９４５）。
この構成では、例えば、毎日夜中に８時間だけアナログ電子時計を腕から外して文字板下姿勢（平姿勢）にすると仮定するならば、本発明のアナログ電子時計の消費電力は、従来のアナログ電子時計の消費電力の約２／３にすることができる。したがって、本発明のアナログ電子時計は、従来のアナログ電子時計と同じ寸法形状の電池を用いた場合、電池寿命を従来のアナログ電子時計の約１．５倍にすることができる。
この構成では、日車１７０は常に現在の「日付」を指示している。したがって、時針２３０、分針２６０、秒針２９０を停止させた状態においても、現在の「日付」を読み取ることができる。更に、段階Ｓ９４５において、アナログ電子時計は文字板下姿勢（平姿勢）でなくなったと姿勢検出部３４０が判定した場合にも、日車１７０を加速駆動する必要がない。したがって、時針２３０、分針２６０、秒針２９０を加速駆動して、時針２３０、分針２６０、秒針２９０により現在時刻を表示し、日車１７０により現在の日付を表示する作動を迅速に行うことができる。
（４・４・４）その他のタイプ
以上説明した本発明のアナログ電子時計の第４の実施形態の実施形態においては、秒針が有る場合について説明したけれども、本発明の第４の実施形態における日モータ駆動部、日モータ、日表示輪列を含む構造は、秒針が無い構造のアナログ電子時計の実施形態にも適用することができる。
また、本発明のアナログ電子時計の第４の実施形態における日モータ駆動部、日モータ、日表示輸列を含む構造は、時分モータにより分表示輪列を回転させて分針により「分」を表示し、分表示輪列を回転させることにより日の裏輪列を回転させて時針により「時」を表示する構造のアナログ電子時計の実施形態にも適用することができる。
このような構成のアナログ電子時計の構成および作用は、前述した本発明のアナログ電子時計の他の実施形態の構成および作用と同様であるので、詳細な説明を繰り返すのは省略する。
このような構成のアナログ電子時計においても、本発明のアナログ電子時計を「強制ＳＬＥＥＰモード」、または、「自動ＳＬＥＥＰモード」に設定したならば、モータを停止させておいた時間に対応してアナログ電子時計の消費電力を減らすことができる。
（５）発明の効果
以上説明したように、本発明のアナログ電子時計においては、アナログ電子時計の姿勢に対応して、モータの作動を制御するように構成されている。したがって、本発明のアナログ電子時計は従来のアナログ電子時計より消費電力を節約することができる。
更に、本発明のアナログ電子時計においては、アナログ電子時計のモータの作動を制御するモードを設定することができるように構成されている。したがって、本発明のアナログ電子時計は、アナログ電子時計の姿勢に対応して、モータの作動を制御することができ、強制的にモータの作動を停止させることもできるので、従来のアナログ電子時計より消費電力を節約することができ、また、モードを設定する操作性は極めてよい。
更に、本発明のアナログ電子時計においては、「強制スリープモード」に設定された場合、モータの作動を停止させた後、所定の時間が経過すると、停止させたモータを一定の時間だけ作動させ、再び停止させるように構成することができるので、輪列に用いられた油の凝固を効果的に防止することができる。
〔産業上の利用可能性〕
本発明は、消費電力が少ないアナログ電子時計を実現するのに適している。
更に、本発明は、小型で薄型で、電池寿命が長いアナログ電子時計を実現するのに適している。
更に、本発明は、モードを設定する操作性がよいアナログ電子時計を実現するのに適している。
【図面の簡単な説明】
図１は、本発明のアナログ電子時計の第１の実施形態において、ムーブメントを表側から見た概略形状を示す平面図である（図１では、一部の部品を省略している）。
図２は、本発明のアナログ電子時計の第１の実施形態において、秒モータから秒針の部分を示す概略部分断面図である。
図３は、本発明のアナログ電子時計の第１の実施形態において、分モータから分針の部分を示す概略部分断面図である。
図４は、本発明のアナログ電子時計の第１の実施形態において、時モータから時針の部分を示す概略部分断面図である。
図５は、本発明のアナログ電子時計の第１の実施形態において、回路、モータ、輪列、指針の部分の概略構成を示すブロック図である。
図６は、本発明のアナログ電子時計に適用される姿勢センサの概略形状を示す縦断面図である。
図７は、本発明のアナログ電子時計に適用される姿勢センサのケース下半部の内面に設けられたパターンの概略形状を示す平面図である。
図８は、本発明のアナログ電子時計に適用される姿勢センサにおいて、姿勢センサを傾けた状態を示す縦断面図である。
図９は、本発明のアナログ電子時計に適用される姿勢センサにおいて、姿勢センサを垂直に配置した状態を示す縦断面図である。
図１０は、本発明のアナログ電子時計に適用される姿勢センサにおいて、リード線の形状を示す斜視図である。
図１１は、本発明のアナログ電子時計の第１の実施形態において、アナログ電子時計が配置された姿勢と、パターンの導通状態の関係を示す一覧表である。
図１２は、本発明のアナログ電子時計の第１の実施形態において、姿勢センサが検出した姿勢の結果に基づいて、全てのモータを停止させる構成（タイプ１Ａ）の作動を示すフローチャートである。
図１３は、本発明のアナログ電子時計の第１の実施形態において、姿勢センサが検出した姿勢の結果に基づいて、秒モータだけを停止させる構成（タイプ１Ｂ）の作動を示すフローチャートである。
図１４は、本発明のアナログ電子時計の第１の実施形態において、姿勢センサが検出した姿勢の結果に基づいて、秒モータおよび分モータを停止させる構成（タイプ１Ｃ）の作動を示すフローチャートである。
図１５は、本発明のアナログ電子時計の第２の実施形態において、ムーブメントを表側から見た概略形状を示す平面図である（図１５では、一部の部品を省略している）。
図１６は、本発明のアナログ電子時計の第２の実施形態において、秒モータから秒針の部分を示す概略部分断面図である。
図１７は、本発明のアナログ電子時計の第２の実施形態において、時分モータから分針および時針の部分を示す概略部分断面図である。
図１８は、本発明のアナログ電子時計の第２の実施形態において、回路、モータ、輪列、指針の部分の概略構成を示すブロック図である。
図１９は、本発明のアナログ電子時計の第２の実施形態において、姿勢センサが検出した姿勢の結果に基づいて、全てのモータを停止させる構成（タイプ２Ａ）の作動を示すフローチャートである。
図２０は、本発明のアナログ電子時計の第２の実施形態において、姿勢センサが検出した姿勢の結果に基づいて、秒モータだけを停止させる構成（タイプ２Ｂ）の作動を示すフローチャートである。
図２１は、本発明のアナログ電子時計（秒針付き、日車付き）をコンプリートにしたとき（ムーブメントに文字板および針を取り付けてケースに収容した状態）の表側から見た概略形状で、「ＡＵＴＯ」モードに設定した時の作動を示す平面図である。
図２２は、本発明のアナログ電子時計の第１の実施形態において、ムーブメントを裏側から見た概略形状を示す平面図である（図２２では、一部の部品を省略している）。
図２３は、本発明のアナログ電子時計の第１の実施形態において、モード設定機構の部分を示す概略部分断面図である。
図２４は、本発明のアナログ電子時計の第３の実施形態において、姿勢センサが検出した姿勢の結果に基づいて、全てのモータを停止させる構成（タイプ３Ａ）の作動を示すフローチャートである。
図２５は、本発明のアナログ電子時計の第３の実施形態において、姿勢センサが検出した姿勢の結果に基づいて、時分モータを停止させる構成（タイプ３Ｂ）の作動を示すフローチャートである。
図２６は、本発明のアナログ電子時計（秒針無し、日車無し）をコンプリートにしたとき（ムーブメントに文字板および針を取り付けてケースに収容した状態）の表側から見た概略形状で、「ＳＬＥＥＰ」モードに設定した時の作動を示す平面図である。
図２７は、本発明のアナログ電子時計の第４の実施形態において、ムーブメントを表側から見た概略形状を示す平面図である（図２７では、一部の部品を省略している）。
図２８は、本発明のアナログ電子時計の第４の実施形態において、日モータから日車の部分を示す概略部分断面図である。
図２９は、本発明のアナログ電子時計の第４の実施形態において、ムーブメントを裏側から見た概略形状を示す平面図である（図２９では、一部の部品を省略している）。
図３０は、本発明のアナログ電子時計の第４の実施形態において、回路、モータ、輪列、指針の部分の概略構成を示すブロック図である。
図３１は、本発明のアナログ電子時計の第４の実施形態において、姿勢センサが検出した姿勢の結果に基づいて、全てのモータを停止させる構成（タイプ４Ａ）の作動を示すフローチャートである。
図３２は、本発明のアナログ電子時計の第４の実施形態において、姿勢センサが検出した姿勢の結果に基づいて、秒モータだけを停止させる構成（タイプ４Ｂ）の作動を示すフローチャートである。
図３３は、本発明のアナログ電子時計の第４の実施形態において、姿勢センサが検出した姿勢の結果に基づいて、時モータおよび分モータおよび秒モータを停止させ、日モータを停止させない構成（タイプ４Ｃ）の作動を示すフローチャートである。
【図１】
2001079941.tif 000003
【図２】
2001079941.tif 000004
【図３】
2001079941.tif 000005
【図４】
2001079941.tif 000006
【図５】
2001079941.tif 000007
【図６】
2001079941.tif 000008
【図７】
2001079941.tif 000009
【図８】
2001079941.tif 000010
【図９】
2001079941.tif 000011
【図１０】
2001079941.tif 000012
【図１１】
2001079941.tif 000013
【図１２】
2001079941.tif 000014
【図１３】
2001079941.tif 000015
【図１４】
2001079941.tif 000016
【図１５】
2001079941.tif 000017
【図１６】
2001079941.tif 000018
【図１７】
2001079941.tif 000019
【図１８】
2001079941.tif 000020
【図１９】
2001079941.tif 000021
【図２０】
2001079941.tif 000022
【図２１】
2001079941.tif 000023
【図２２】
2001079941.tif 000024
【図２３】
2001079941.tif 000025
【図２４】
2001079941.tif 000026
【図２５】
2001079941.tif 000027
【図２６】
2001079941.tif 000028
【図２７】
2001079941.tif 000029
【図２８】
2001079941.tif 000030
【図２９】
2001079941.tif 000031
【図３０】
2001079941.tif 000032
【図３１】
2001079941.tif 000033
【図３２】
2001079941.tif 000034
【図３３】
2001079941.tif 000035
【国際調査報告】
2001079941.tif 000036
2001079941.tif 000037
2001079941.tif 000038
2001079941.tif 000039